(57)【要約】      （修正有）【課題】携帯情報端末に把持具を装着して使用する場合、携帯情報端末の画面に届く指の範囲を広くする端末ケースを提供する。【解決手段】携帯情報端末に装着して用いる滑動自在な把持具Ｂ１１に把持部Ｂ１２と滑動部Ｂ２６と収納部と滑動補助部を備えた軸と装着部を設ける、さらに収納部には滑動レールＢ３５を備える滑動部と把持部を接続し、滑動部を収納部に備えた滑動レールに回動自在かつ滑動自在に取り付け、さらに収納部に滑動補助部を備えた軸の滑動補助部を内設して収納部を回動自在かつ全方向にも滑動自在に設け、滑動補助部を備えた軸に装着部を設けた回動自在かつ全方向へ滑動自在になる把持具。【選択図】図１６
2020199145.tif 000002
【特許請求の範囲】
【請求項１】
携帯情報端末に装着して用いる把持具であって
前記把持具に把持部と収納部と滑動補助部を備えた軸と装着部を設ける
さらに前記把持部と前記収納部を連結して設け、
前記軸に備えた滑動補助部を、前記収納部に内設して
前記収納部を回動自在かつ全方向へ滑動自在に設け
前記軸に前記装着部を連結して設けたことを
特徴とする回動自在かつ全方向に滑動自在な把持具  
【請求項２】
携帯情報端末に装着して用いる把持具であって
前記把持具に把持部と収納部と滑動補助部を備えた軸と装着部を設ける
さらに前記把持部と前記滑動補助部を備えた軸を連結して設け、
前記軸に備えた滑動補助部を、前記収納部に内設して
前記滑動補助部を回動自在かつ全方向へ滑動自在に設け
さらに前記収納部に前記装着部を設けたことを
特徴とする回動自在かつ全方向に滑動自在な把持具
【請求項３】
携帯情報端末に装着して用いる把持具であって
前記把持具に第一滑動補助部と第二滑動補助部を備えた軸と把持部と第一収納部と第二収納部と装着部を設ける
さらに前記第一収納部と前記第二収納部の内部には回動自在かつ全方向へ滑動自在なスペースを備える
さらに前記把持部と前記第一収納部を連結して設け
前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具
【請求項４】
携帯情報端末に装着して用いる把持具であって
前記把持具に第一滑動補助部と第二滑動補助部を備えた軸と把持部と第一収納部と第二収納部と装着部を設ける
前記収納部には滑動レールをさらに備え、
さらに前記第一収納部と前記第二収納部の内部には回動自在かつ全方向へ滑動自在なスペースを備える
前記把持部を前記収納部に備えた前記滑動レールに回動自在かつ滑動自在に連結して設け
さらに前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具
【請求項５】
請求項１から請求項３に記載のいずれかの
回動自在かつ全方向に滑動自在な把持具において
前記把持部には滑動レールをさらに備え、
前記把持部に備えた前記滑動レールを回動自在かつ滑動自在に
前記収納部に連結して設けたことを
特徴とする回動自在かつ全方向に滑動自在な把持具
【請求項６】
請求項１から請求項３に記載のいずれかの
回動自在かつ全方向に滑動自在な把持具において
前記把持部には滑動レールをさらに備え、
前記把持部に備えた前記滑動レールを前記把持部が回動自在かつ滑動自在に設け
さらに前記滑動レールを前記収納部に連結して設けたことを
特徴とする回動自在かつ全方向に滑動自在な把持具
【請求項７】
請求項１から請求項６に記載のいずれかの
回動自在かつ全方向に滑動自在な把持具において
さらに収納部の一部に外れ防止ストッパーを備え
さらに滑動補助部を備えた軸の滑動補助部に外れ防止ストッパーを備える
前記収納部に備えた外れ防止ストッパーと、前記軸に備えた滑動補助部の
外れ防止ストッパーにより、前記収納部と前記軸に備えた滑動補助部が外れることがなく
回動自在かつ全方向に滑動自在に設けたことを
特徴とする回動自在かつ全方向に滑動自在な把持具
【請求項８】
請求項１から請求項７に記載のいずれかの
回動自在かつ全方向に滑動自在な把持具において
前記収納部を前記滑動補助部により、回動自在かつ滑動自在に挟んで設けたことを特徴とする
回動自在かつ全方向に滑動自在な把持具
【請求項９】
請求項１から請求項８に記載のいずれかの
回動自在かつ全方向に滑動自在な把持具において
前記把持具の一部に
把持部が全方向に滑動する範囲を調整自在にするストッパーをさらに設けたことを
特徴とする回動自在かつ全方向に滑動自在な把持具
【請求項１０】
請求項１から請求項９に記載のいずれかの
回動自在かつ全方向に滑動自在な把持具において
前記把持具の一部に、
全方向に滑動する把持部を固定自在にするストッパーをさらに設けたことを
特徴とする回動自在かつ全方向に滑動自在な把持具
【請求項１１】
請求項１から請求項１０に記載のいずれかの
回動自在かつ全方向に滑動自在な把持具において
前記把持具を着脱自在に設けたことを
特徴とする回動自在かつ全方向に滑動自在な把持具
【請求項１２】
請求項１から請求項１１に記載のいずれかの
回動自在かつ全方向に滑動自在な把持具において
前記把持具に複数の滑動部を組み合わせたことを
特徴とする回動自在かつ全方向に滑動自在な把持具
【請求項１３】
請求項１から請求項１２に記載のいずれかの
回動自在かつ全方向に滑動自在な把持具において
前記把持具を滑動させていないコンパクトな状態より
広いスペースで全方向に滑動自在に把持できるように把持部を設けたことを
特徴とする回動自在かつ全方向に滑動自在な把持具
【請求項１４】
請求項１から請求項１３に記載のいずれかの
回動自在かつ全方向に滑動自在な把持具において
携帯情報端末とは携帯電話端末を含むことを
特徴とする回動自在かつ全方向に滑動自在な把持具
【請求項１５】
請求項１から請求項１３に記載のいずれかの
回動自在かつ全方向に滑動自在な把持具において
携帯情報端末とはスマートフォン端末を含むことを
特徴とする回動自在かつ全方向に滑動自在な把持具
【請求項１６】
請求項１から請求項１３に記載のいずれかの
回動自在かつ全方向に滑動自在な把持具において
携帯情報端末とはタブレット端末を含むことを
特徴とする回動自在かつ全方向に滑動自在な把持具
【請求項１７】
請求項１から請求項１３に記載のいずれかの
回動自在かつ全方向に滑動自在な把持具において
携帯情報端末とは電子書籍端末を含むことを
特徴とする回動自在かつ全方向に滑動自在な把持具
【請求項１８】
請求項１から請求項１３に記載のいずれかの
回動自在かつ全方向に滑動自在な把持具において
携帯情報端末とはVR端末を含むことを
特徴とする回動自在かつ全方向に滑動自在な把持具
【請求項１９】
請求項１から請求項１３に記載のいずれかの
回動自在かつ全方向に滑動自在な把持具において
携帯情報端末とはVR端末のコントローラーを含むことを
特徴とする回動自在かつ全方向に滑動自在な把持具
【請求項２０】
請求項１から請求項１３に記載のいずれかの
回動自在かつ全方向に滑動自在な把持具において
携帯情報端末とはゲーム機を含むことを
特徴とする回動自在かつ全方向に滑動自在な把持具
【請求項２１】
請求項１から請求項１３に記載のいずれかの
回動自在かつ全方向に滑動自在な把持具において
携帯情報端末とはゲーム機のコントローラーを含むことを
特徴とする回動自在かつ全方向に滑動自在な把持具
【請求項２２】
請求項１から請求項１３に記載のいずれかの
回動自在かつ全方向に滑動自在な把持具において
携帯情報端末とは携帯音楽プレーヤーを含むことを
特徴とする回動自在かつ全方向に滑動自在な把持具
【請求項２３】
請求項１から請求項１３に記載のいずれかの
回動自在かつ全方向に滑動自在な把持具において
携帯情報端末とはウェアラブル端末を含むことを
特徴とする回動自在かつ全方向に滑動自在な把持具
【請求項２４】
請求項１から請求項１３に記載のいずれかの
回動自在かつ全方向に滑動自在な把持具において
携帯情報端末とは通信機能を備えた端末を含むことを
特徴とする回動自在かつ全方向に滑動自在な把持具
【請求項２５】
請求項１から請求項１３に記載のいずれかの
回動自在かつ全方向に滑動自在な把持具において
携帯情報端末とは電子辞書端末を含むことを
特徴とする回動自在かつ全方向に滑動自在な把持具
【請求項２６】
携帯情報端末を装着して用いる
把持具を備えたケースであって
前記把持具に把持部と収納部と滑動補助部を備えた軸と装着部を設ける
さらに前記把持部と前記収納部を連結して設け、
前記軸に備えた滑動補助部を、前記収納部に内設して
前記収納部を回動自在かつ全方向へ滑動自在に設け
前記軸に前記装着部を連結して設けたことを
特徴とする回動自在かつ全方向に滑動自在な把持具を備えた携帯情報端末ケース
【請求項２７】
携帯情報端末を装着して用いる
把持具を備えたケースであって
前記把持具に把持部と収納部と滑動補助部を備えた軸と装着部を設ける
さらに前記把持部と前記滑動補助部を備えた軸を連結して設け、
前記軸に備えた滑動補助部を、前記収納部に内設して
前記滑動補助部を回動自在かつ全方向へ滑動自在に設け
さらに前記収納部に前記装着部を設けたことを
特徴とする回動自在かつ全方向に滑動自在な把持具を備えた携帯情報端末ケース
【請求項２８】
携帯情報端末を装着して用いる
把持具を備えたケースであって
前記把持具に第一滑動補助部と第二滑動補助部を備えた軸と把持部と第一収納部と第二収納部と装着部を設ける
さらに前記第一収納部と前記第二収納部の内部には回動自在かつ全方向へ滑動自在なスペースを備える
さらに前記把持部と前記第一収納部を連結して設け
前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具を備えた携帯情報端末ケース
【請求項２９】
携帯情報端末を装着して用いる
把持具を備えたケースであって
前記把持具に第一滑動補助部と第二滑動補助部を備えた軸と把持部と第一収納部と第二収納部と装着部を設ける
前記収納部には滑動レールをさらに備え、
さらに前記第一収納部と前記第二収納部の内部には回動自在かつ全方向へ滑動自在なスペースを備える
前記把持部を前記収納部に備えた前記滑動レールに回動自在かつ滑動自在に連結して設け
さらに前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具を備えた携帯情報端末ケース
【請求項３０】
請求項２６から請求項２８に記載のいずれかの
回動自在かつ全方向に滑動自在な把持具を備えた携帯情報端末ケースにおいて
前記把持部には滑動レールをさらに備え、
前記把持部に備えた前記滑動レールを回動自在かつ滑動自在に
前記収納部に連結して設けたことを
特徴とする回動自在かつ全方向に滑動自在な把持具を備えた携帯情報端末ケース
【請求項３１】
請求項２６から請求項２８に記載のいずれかの
回動自在かつ全方向に滑動自在な把持具を備えた携帯情報端末ケースにおいて
前記把持部には滑動レールをさらに備え、
前記把持部に備えた前記滑動レールを前記把持部が回動自在かつ滑動自在に設け
さらに前記滑動レールを前記収納部に連結して設けたことを
特徴とする回動自在かつ全方向に滑動自在な把持具を備えた携帯情報端末ケース
【請求項３２】
請求項２６から請求項３１に記載のいずれかの
回動自在かつ全方向に滑動自在な把持具を備えた携帯情報端末ケースにおいて
さらに収納部の一部に外れ防止ストッパーを備え
さらに滑動補助部を備えた軸の滑動補助部に外れ防止ストッパーを備える
前記収納部に備えた外れ防止ストッパーと、前記軸に備えた滑動補助部の
外れ防止ストッパーにより、前記収納部と前記軸に備えた滑動補助部が外れることがなく
回動自在かつ全方向に滑動自在に設けたことを
特徴とする回動自在かつ全方向に滑動自在な把持具を備えた携帯情報端末ケース
【請求項３３】
請求項２６から請求項３２に記載のいずれかの
回動自在かつ全方向に滑動自在な把持具を備えた携帯情報端末ケースにおいて
前記収納部を前記滑動補助部により、回動自在かつ滑動自在に挟んで設けたことを特徴とする
回動自在かつ全方向に滑動自在な把持具を備えた携帯情報端末ケース
【請求項３４】
請求項２６から請求項３３に記載のいずれかの
回動自在かつ全方向に滑動自在な把持具を備えた携帯情報端末ケースにおいて
前記把持具の一部に
把持部が全方向に滑動する範囲を調整自在にするストッパーをさらに設けたことを
特徴とする回動自在かつ全方向に滑動自在な把持具を備えた携帯情報端末ケース
【請求項３５】
請求項２６から請求項３４に記載のいずれかの
回動自在かつ全方向に滑動自在な把持具を備えた携帯情報端末ケースにおいて
前記把持具の一部に、
全方向に滑動する把持部を固定自在にするストッパーをさらに設けたことを
特徴とする回動自在かつ全方向に滑動自在な把持具を備えた携帯情報端末ケース
【請求項３６】
請求項２６から請求項３５に記載のいずれかの
回動自在かつ全方向に滑動自在な把持具を備えた携帯情報端末ケースにおいて
前記把持具を着脱自在に設けたことを
特徴とする回動自在かつ全方向に滑動自在な把持具を備えた携帯情報端末ケース
【請求項３７】
請求項２６から請求項３６に記載のいずれかの
回動自在かつ全方向に滑動自在な把持具を備えた携帯情報端末ケースにおいて
前記把持具に複数の滑動部を組み合わせたことを
特徴とする回動自在かつ全方向に滑動自在な把持具を備えた携帯情報端末ケース
【請求項３８】
請求項２６から請求項３７に記載のいずれかの
回動自在かつ全方向に滑動自在な把持具を備えた携帯情報端末ケースにおいて
前記把持具を滑動させていないコンパクトな状態より
広いスペースで全方向に滑動自在に把持できるように把持部を設けたことを
特徴とする回動自在かつ全方向に滑動自在な把持具を備えた携帯情報端末ケース
【請求項３９】
請求項２６から請求項３８に記載のいずれかの
回動自在かつ全方向に滑動自在な把持具を備えた携帯情報端末ケースにおいて
携帯情報端末とは携帯電話端末を含むことを
特徴とする回動自在かつ全方向に滑動自在な把持具を備えた携帯情報端末ケース
【請求項４０】
請求項２６から請求項３８に記載のいずれかの
回動自在かつ全方向に滑動自在な把持具を備えた携帯情報端末ケースにおいて
携帯情報端末とはスマートフォン端末を含むことを
特徴とする回動自在かつ全方向に滑動自在な把持具を備えた携帯情報端末ケース
【請求項４１】
請求項２６から請求項３８に記載のいずれかの
回動自在かつ全方向に滑動自在な把持具を備えた携帯情報端末ケースにおいて
携帯情報端末とはタブレット端末を含むことを
特徴とする回動自在かつ全方向に滑動自在な把持具を備えた携帯情報端末ケース
【請求項４２】
請求項２６から請求項３８に記載のいずれかの
回動自在かつ全方向に滑動自在な把持具を備えた携帯情報端末ケースにおいて
携帯情報端末とは電子書籍端末を含むことを
特徴とする回動自在かつ全方向に滑動自在な把持具を備えた携帯情報端末ケース
【請求項４３】
請求項２６から請求項３８に記載のいずれかの
回動自在かつ全方向に滑動自在な把持具を備えた携帯情報端末ケースにおいて
携帯情報端末とはVR端末を含むことを
特徴とする回動自在かつ全方向に滑動自在な把持具を備えた携帯情報端末ケース
【請求項４４】
請求項２６から請求項３８に記載のいずれかの
回動自在かつ全方向に滑動自在な把持具を備えた携帯情報端末ケースにおいて
携帯情報端末とはVR端末のコントローラーを含むことを
特徴とする回動自在かつ全方向に滑動自在な把持具を備えた携帯情報端末ケース
【請求項４５】
請求項２６から請求項３８に記載のいずれかの
回動自在かつ全方向に滑動自在な把持具を備えた携帯情報端末ケースにおいて
携帯情報端末とはゲーム機を含むことを
特徴とする回動自在かつ全方向に滑動自在な把持具を備えた携帯情報端末ケース
【請求項４６】
請求項２６から請求項３８に記載のいずれかの
回動自在かつ全方向に滑動自在な把持具を備えた携帯情報端末ケースにおいて
携帯情報端末とはゲーム機のコントローラーを含むことを
特徴とする回動自在かつ全方向に滑動自在な把持具を備えた携帯情報端末ケース
【請求項４７】
請求項２６から請求項３８に記載のいずれかの
回動自在かつ全方向に滑動自在な把持具を備えた携帯情報端末ケースにおいて
携帯情報端末とは携帯音楽プレーヤーを含むことを
特徴とする回動自在かつ全方向に滑動自在な把持具を備えた携帯情報端末ケース
【請求項４８】
請求項２６から請求項３８に記載のいずれかの
回動自在かつ全方向に滑動自在な把持具を備えた携帯情報端末ケースにおいて
携帯情報端末とはウェアラブル端末を含むことを
特徴とする回動自在かつ全方向に滑動自在な把持具を備えた携帯情報端末ケース
【請求項４９】
請求項２６から請求項３８に記載のいずれかの
回動自在かつ全方向に滑動自在な把持具を備えた携帯情報端末ケースにおいて
携帯情報端末とは通信機能を備えた端末を含むことを
特徴とする回動自在かつ全方向に滑動自在な把持具を備えた携帯情報端末ケース
【請求項５０】
請求項２６から請求項３８に記載のいずれかの
回動自在かつ全方向に滑動自在な把持具を備えた携帯情報端末ケースにおいて
携帯情報端末とは電子辞書端末を含むことを
特徴とする回動自在かつ全方向に滑動自在な把持具を備えた携帯情報端末ケース
【請求項５１】
携帯情報端末を装着して用いる
把持具を備えたバンパーであって
前記把持具に把持部と収納部と滑動補助部を備えた軸と装着部を設ける
さらに前記把持部と前記収納部を連結して設け、
前記軸に備えた滑動補助部を、前記収納部に内設して
前記収納部を回動自在かつ全方向へ滑動自在に設け
前記軸に前記装着部を連結して設けたことを
特徴とする回動自在かつ全方向に滑動自在な把持具を備えた携帯情報端末バンパー
【請求項５２】
携帯情報端末を装着して用いる
把持具を備えたバンパーであって
前記把持具に把持部と収納部と滑動補助部を備えた軸と装着部を設ける
さらに前記把持部と前記滑動補助部を備えた軸を連結して設け、
前記軸に備えた滑動補助部を、前記収納部に内設して
前記滑動補助部を回動自在かつ全方向へ滑動自在に設け
さらに前記収納部に前記装着部を設けたことを
特徴とする回動自在かつ全方向に滑動自在な把持具を備えた携帯情報端末バンパー
【請求項５３】
携帯情報端末を装着して用いる
把持具を備えたバンパーであって
前記把持具に第一滑動補助部と第二滑動補助部を備えた軸と把持部と第一収納部と第二収納部と装着部を設ける
さらに前記第一収納部と前記第二収納部の内部には回動自在かつ全方向へ滑動自在なスペースを備える
さらに前記把持部と前記第一収納部を連結して設け
前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具を備えた携帯情報端末バンパー
【請求項５４】
携帯情報端末を装着して用いる
把持具を備えたバンパーであって
前記把持具に第一滑動補助部と第二滑動補助部を備えた軸と把持部と第一収納部と第二収納部と装着部を設ける
前記収納部には滑動レールをさらに備え、
さらに前記第一収納部と前記第二収納部の内部には回動自在かつ全方向へ滑動自在なスペースを備える
前記把持部を前記収納部に備えた前記滑動レールに回動自在かつ滑動自在に連結して設け
さらに前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具を備えた携帯情報端末バンパー
【請求項５５】
請求項５１から請求項５３に記載のいずれかの
回動自在かつ全方向に滑動自在な把持具を備えた携帯情報端末バンパーにおいて
前記把持部には滑動レールをさらに備え、
前記把持部に備えた前記滑動レールを回動自在かつ滑動自在に
前記収納部に連結して設けたことを
特徴とする回動自在かつ全方向に滑動自在な把持具を備えた携帯情報端末バンパー
【請求項５６】
請求項５１から請求項５３に記載のいずれかの
回動自在かつ全方向に滑動自在な把持具を備えた携帯情報端末バンパーにおいて
前記把持部には滑動レールをさらに備え、
前記把持部に備えた前記滑動レールを前記把持部が回動自在かつ滑動自在に設け
さらに前記滑動レールを前記収納部に連結して設けたことを
特徴とする回動自在かつ全方向に滑動自在な把持具を備えた携帯情報端末バンパー
【請求項５７】
請求項５１から請求項５６に記載のいずれかの
回動自在かつ全方向に滑動自在な把持具を備えた携帯情報端末バンパーにおいて
さらに収納部の一部に外れ防止ストッパーを備え
さらに滑動補助部を備えた軸の滑動補助部に外れ防止ストッパーを備える
前記収納部に備えた外れ防止ストッパーと、前記軸に備えた滑動補助部の
外れ防止ストッパーにより、前記収納部と前記軸に備えた滑動補助部が外れることがなく
回動自在かつ全方向に滑動自在に設けたことを
特徴とする回動自在かつ全方向に滑動自在な把持具を備えた携帯情報端末バンパー
【請求項５８】
請求項５１から請求項５７に記載のいずれかの
回動自在かつ全方向に滑動自在な把持具を備えた携帯情報端末バンパーにおいて
前記収納部を前記滑動補助部により、回動自在かつ滑動自在に挟んで設けたことを特徴とする
回動自在かつ全方向に滑動自在な把持具を備えた携帯情報端末バンパー
【請求項５９】
請求項５１から請求項５８に記載のいずれかの
回動自在かつ全方向に滑動自在な把持具を備えた携帯情報端末バンパーにおいて
前記把持具の一部に
把持部が全方向に滑動する範囲を調整自在にするストッパーをさらに設けたことを
特徴とする回動自在かつ全方向に滑動自在な把持具を備えた携帯情報端末バンパー
【請求項６０】
請求項５１から請求項５９に記載のいずれかの
回動自在かつ全方向に滑動自在な把持具を備えた携帯情報端末バンパーにおいて
前記把持具の一部に、
全方向に滑動する把持部を固定自在にするストッパーをさらに設けたことを
特徴とする回動自在かつ全方向に滑動自在な把持具を備えた携帯情報端末バンパー
【請求項６１】
請求項５１から請求項６０に記載のいずれかの
回動自在かつ全方向に滑動自在な把持具を備えた携帯情報端末バンパーにおいて
前記把持具を着脱自在に設けたことを
特徴とする回動自在かつ全方向に滑動自在な把持具を備えた携帯情報端末バンパー
【請求項６２】
請求項５１から請求項６１に記載のいずれかの
回動自在かつ全方向に滑動自在な把持具を備えた携帯情報端末バンパーにおいて
前記把持具に複数の滑動部を組み合わせたことを
特徴とする回動自在かつ全方向に滑動自在な把持具を備えた携帯情報端末バンパー
【請求項６３】
請求項５１から請求項６２に記載のいずれかの
回動自在かつ全方向に滑動自在な把持具を備えた携帯情報端末バンパーにおいて
前記把持具を滑動させていないコンパクトな状態より
広いスペースで全方向に滑動自在に把持できるように把持部を設けたことを
特徴とする回動自在かつ全方向に滑動自在な把持具を備えた携帯情報端末バンパー
【請求項６４】
請求項５１から請求項６３に記載のいずれかの
回動自在かつ全方向に滑動自在な把持具を備えた携帯情報端末バンパーにおいて
携帯情報端末とは携帯電話端末を含むことを
特徴とする回動自在かつ全方向に滑動自在な把持具を備えた携帯情報端末バンパー
【請求項６５】
請求項５１から請求項６３に記載のいずれかの
回動自在かつ全方向に滑動自在な把持具を備えた携帯情報端末バンパーにおいて
携帯情報端末とはスマートフォン端末を含むことを
特徴とする回動自在かつ全方向に滑動自在な把持具を備えた携帯情報端末バンパー
【請求項６６】
請求項５１から請求項６３に記載のいずれかの
回動自在かつ全方向に滑動自在な把持具を備えた携帯情報端末バンパーにおいて
携帯情報端末とはタブレット端末を含むことを
特徴とする回動自在かつ全方向に滑動自在な把持具を備えた携帯情報端末バンパー
【請求項６７】
請求項５１から請求項６３に記載のいずれかの
回動自在かつ全方向に滑動自在な把持具を備えた携帯情報端末バンパーにおいて
携帯情報端末とは電子書籍端末を含むことを
特徴とする回動自在かつ全方向に滑動自在な把持具を備えた携帯情報端末バンパー
【請求項６８】
請求項５１から請求項６３に記載のいずれかの
回動自在かつ全方向に滑動自在な把持具を備えた携帯情報端末バンパーにおいて
携帯情報端末とはVR端末を含むことを
特徴とする回動自在かつ全方向に滑動自在な把持具を備えた携帯情報端末バンパー
【請求項６９】
請求項５１から請求項６３に記載のいずれかの
回動自在かつ全方向に滑動自在な把持具を備えた携帯情報端末バンパーにおいて
携帯情報端末とはVR端末のコントローラーを含むことを
特徴とする回動自在かつ全方向に滑動自在な把持具を備えた携帯情報端末バンパー
【請求項７０】
請求項５１から請求項６３に記載のいずれかの
回動自在かつ全方向に滑動自在な把持具を備えた携帯情報端末バンパーにおいて
携帯情報端末とはゲーム機を含むことを
特徴とする回動自在かつ全方向に滑動自在な把持具を備えた携帯情報端末バンパー
【請求項７１】
請求項５１から請求項６３に記載のいずれかの
回動自在かつ全方向に滑動自在な把持具を備えた携帯情報端末バンパーにおいて
携帯情報端末とはゲーム機のコントローラーを含むことを
特徴とする回動自在かつ全方向に滑動自在な把持具を備えた携帯情報端末バンパー
【請求項７２】
請求項５１から請求項６３に記載のいずれかの
回動自在かつ全方向に滑動自在な把持具を備えた携帯情報端末バンパーにおいて
携帯情報端末とは携帯音楽プレーヤーを含むことを
特徴とする回動自在かつ全方向に滑動自在な把持具を備えた携帯情報端末バンパー
【請求項７３】
請求項５１から請求項６３に記載のいずれかの
回動自在かつ全方向に滑動自在な把持具を備えた携帯情報端末バンパーにおいて
携帯情報端末とはウェアラブル端末を含むことを
特徴とする回動自在かつ全方向に滑動自在な把持具を備えた携帯情報端末バンパー
【請求項７４】
請求項５１から請求項６３に記載のいずれかの
回動自在かつ全方向に滑動自在な把持具を備えた携帯情報端末バンパーにおいて
携帯情報端末とは通信機能を備えた端末を含むことを
特徴とする回動自在かつ全方向に滑動自在な把持具を備えた携帯情報端末バンパー
【請求項７５】
請求項５１から請求項６３に記載のいずれかの
回動自在かつ全方向に滑動自在な把持具を備えた携帯情報端末バンパーにおいて
携帯情報端末とは電子辞書端末を含むことを
特徴とする回動自在かつ全方向に滑動自在な把持具を備えた携帯情報端末バンパー
【発明の詳細な説明】
【技術分野】
【０００１】
本発明は、回動自在かつ全方向へ滑動自在な把持部を備えた端末、ケース、回動自在かつ全方向へ滑動自在な把持具に関するものであり、回動自在かつ全方向へ滑動自在な把持部により、把持部に指を通して把持したまま、情報携帯端末画面を操作する指の操作範囲を広げられるようにしたものである。
【発明の開示】
【発明が解決しようとする課題】
【０００２】
従来のようなリング状の固定された把持部を備えた携帯情報端末や携帯情報端末ケースや
携帯情報端末バンパーや把持具では把持部に指を通すと指の位置が把持部により固定されるため、固定され
た指がある手で片手操作をする場合に携帯情報端末を操作する指の範囲が狭くなってしまうという不都合を解決することを課題とする
また把持具が滑動することで、把持具をコンパクトにした状態より広い範囲で全方向へ滑動自在となる
【課題を解決するための手段】
【０００３】
請求項１に記載の発明は
携帯情報端末に装着して用いる把持具であって
前記把持具に把持部と収納部と滑動補助部を備えた軸と装着部を設ける
さらに前記把持部と前記収納部を連結して設け、
前記軸に備えた滑動補助部を、前記収納部に内設して
前記収納部を回動自在かつ全方向へ滑動自在に設け
前記軸に前記装着部を連結して設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【０００４】
請求項２に記載の発明は
携帯情報端末に装着して用いる把持具であって
前記把持具に把持部と収納部と滑動補助部を備えた軸と装着部を設ける
さらに前記把持部と前記滑動補助部を備えた軸を連結して設け、
前記軸に備えた滑動補助部を、前記収納部に内設して
前記滑動補助部を回動自在かつ全方向へ滑動自在に設け
さらに前記収納部に前記装着部を設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【０００５】
請求項３に記載の発明は
携帯情報端末に装着して用いる把持具であって
前記把持具に第一滑動補助部と第二滑動補助部を備えた軸と把持部と第一収納部と第二収納部と装着部を設ける
さらに前記第一収納部と前記第二収納部の内部には回動自在かつ全方向へ滑動自在なスペースを備える
さらに前記把持部と前記第一収納部を連結して設け
前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具である
これにより
把持部に手の指を通して
把持し手のひらの角度を変えることで把持部が二つの滑動部により滑動
することで携帯情報端末の画面に指が届く範囲を広く
することができる。
【０００６】
請求項４に記載の発明は
携帯情報端末に装着して用いる把持具であって
前記把持具に第一滑動補助部と第二滑動補助部を備えた軸と把持部と第一収納部と第二収納部と装着部を設ける
前記収納部には滑動レールをさらに備え、
さらに前記第一収納部と前記第二収納部の内部には回動自在かつ全方向へ滑動自在なスペースを備える
前記把持部を前記収納部に備えた前記滑動レールに回動自在かつ滑動自在に連結して設け
さらに前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具である
これにより
把持部に手の指を通して
把持し手のひらの角度を変えることで把持部が三つの滑動部により滑動
することで携帯情報端末の画面に指が届く範囲を広く
することができる。
【０００７】
請求項５に記載の発明は
請求項１から請求項３に記載のいずれかの
回動自在かつ全方向に滑動自在な把持具において
前記把持部には滑動レールをさらに備え、
前記把持部に備えた前記滑動レールを回動自在かつ滑動自在に
前記収納部に連結して設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【０００８】
請求項６に記載の発明は
請求項１から請求項３に記載のいずれかの
回動自在かつ全方向に滑動自在な把持具において
前記把持部には滑動レールをさらに備え、
前記把持部に備えた前記滑動レールを前記把持部が回動自在かつ滑動自在に設け
さらに前記滑動レールを前記収納部に連結して設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【０００９】
請求項７に記載の発明は
請求項１から請求項６に記載のいずれかの
回動自在かつ全方向に滑動自在な把持具において
さらに収納部の一部に外れ防止ストッパーを備え
さらに滑動補助部を備えた軸の滑動補助部に外れ防止ストッパーを備える
前記収納部に備えた外れ防止ストッパーと、前記軸に備えた滑動補助部の
外れ防止ストッパーにより、前記収納部と前記軸に備えた滑動補助部が外れることがなく
回動自在かつ全方向に滑動自在に設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００１０】
請求項８に記載の発明は
請求項１から請求項７に記載のいずれかの
回動自在かつ全方向に滑動自在な把持具において
前記収納部を前記滑動補助部により、回動自在かつ滑動自在に挟んで設けたことを特徴とする
回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００１１】
請求項９に記載の発明は
請求項１から請求項８に記載のいずれかの
回動自在かつ全方向に滑動自在な把持具において
前記把持具の一部に
把持部が全方向に滑動する範囲を調整自在にするストッパーをさらに設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。また前記ストッパーにより滑動する範囲を調整することもできる
【００１２】
請求項１０に記載の発明は
請求項１から請求項９に記載のいずれかの
回動自在かつ全方向に滑動自在な把持具において
前記把持具の一部に、
全方向に滑動する把持部を固定自在にするストッパーをさらに設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。また前記ストッパーにより滑動する把持具を
任意の位置で固定することもできる
【００１３】
請求項１１に記載の発明は
請求項１から請求項１０に記載のいずれかの
回動自在かつ全方向に滑動自在な把持具において
前記把持具を着脱自在に設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００１４】
請求項１２に記載の発明は
請求項１から請求項１１に記載のいずれかの
回動自在かつ全方向に滑動自在な把持具において
前記把持具に複数の滑動部を組み合わせたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００１５】
請求項１３に記載の発明は
請求項１から請求項１２に記載のいずれかの
回動自在かつ全方向に滑動自在な把持具において
前記把持具を滑動させていないコンパクトな状態より
広いスペースで全方向に滑動自在に把持できるように把持部を設けたことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
またコンパクトな状態より、使わないときはコンパクトな状態にすることができる。
【００１６】
請求項１４に記載の発明は
請求項１から請求項１３に記載のいずれかの
回動自在かつ全方向に滑動自在な把持具において
携帯情報端末とは携帯電話端末を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００１７】
請求項１５に記載の発明は
請求項１から請求項１３に記載のいずれかの
回動自在かつ全方向に滑動自在な把持具において
携帯情報端末とはスマートフォン端末を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００１８】
請求項１６に記載の発明は
請求項１から請求項１３に記載のいずれかの
回動自在かつ全方向に滑動自在な把持具において
携帯情報端末とはタブレット端末を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００１９】
請求項１７に記載の発明は
請求項１から請求項１３に記載のいずれかの
回動自在かつ全方向に滑動自在な把持具において
携帯情報端末とは電子書籍端末を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２０】
請求項１８に記載の発明は
請求項１から請求項１３に記載のいずれかの
回動自在かつ全方向に滑動自在な把持具において
携帯情報端末とはVR端末を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２１】
請求項１９に記載の発明は
請求項１から請求項１３に記載のいずれかの
回動自在かつ全方向に滑動自在な把持具において
携帯情報端末とはVR端末のコントローラーを含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２２】
請求項２０に記載の発明は
請求項１から請求項１３に記載のいずれかの
回動自在かつ全方向に滑動自在な把持具において
携帯情報端末とはゲーム機を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２３】
請求項２１に記載の発明は
請求項１から請求項１３に記載のいずれかの
回動自在かつ全方向に滑動自在な把持具において
携帯情報端末とはゲーム機のコントローラーを含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２４】
請求項２２に記載の発明は
請求項１から請求項１３に記載のいずれかの
回動自在かつ全方向に滑動自在な把持具において
携帯情報端末とは携帯音楽プレーヤーを含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２５】
請求項２３に記載の発明は
請求項１から請求項１３に記載のいずれかの
回動自在かつ全方向に滑動自在な把持具において
携帯情報端末とはウェアラブル端末を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２６】
請求項２４に記載の発明は
請求項１から請求項１３に記載のいずれかの
回動自在かつ全方向に滑動自在な把持具において
携帯情報端末とは通信機能を備えた端末を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２７】
請求項２５に記載の発明は
請求項１から請求項１３に記載のいずれかの
回動自在かつ全方向に滑動自在な把持具において
携帯情報端末とは電子辞書端末を含むことを
特徴とする回動自在かつ全方向に滑動自在な把持具である
これにより
把持部に手の指を通して
把持し手のひらの角度を変えることで把持部が滑動
することで携帯情報端末の画面に指が届く範囲を広く
することができる。
【００２８】
請求項２６に記載の発明は
携帯情報端末を装着して用いる
把持具を備えたケースであって
前記把持具に把持部と収納部と滑動補助部を備えた軸と装着部を設ける
さらに前記把持部と前記収納部を連結して設け、
前記軸に備えた滑動補助部を、前記収納部に内設して
前記収納部を回動自在かつ全方向へ滑動自在に設け
前記軸に前記装着部を連結して設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００２９】
請求項２７に記載の発明は
携帯情報端末を装着して用いる
把持具を備えたケースであって
前記把持具に把持部と収納部と滑動補助部を備えた軸と装着部を設ける
さらに前記把持部と前記滑動補助部を備えた軸を連結して設け、
前記軸に備えた滑動補助部を、前記収納部に内設して
前記滑動補助部を回動自在かつ全方向へ滑動自在に設け
さらに前記収納部に前記装着部を設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３０】
請求項２８に記載の発明は
携帯情報端末を装着して用いる
把持具を備えたケースであって
前記把持具に第一滑動補助部と第二滑動補助部を備えた軸と把持部と第一収納部と第二収納部と装着部を設ける
さらに前記第一収納部と前記第二収納部の内部には回動自在かつ全方向へ滑動自在なスペースを備える
さらに前記把持部と前記第一収納部を連結して設け
前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３１】
請求項２９に記載の発明は
携帯情報端末を装着して用いる
把持具を備えたケースであって
前記把持具に第一滑動補助部と第二滑動補助部を備えた軸と把持部と第一収納部と第二収納部と装着部を設ける
前記収納部には滑動レールをさらに備え、
さらに前記第一収納部と前記第二収納部の内部には回動自在かつ全方向へ滑動自在なスペースを備える
前記把持部を前記収納部に備えた前記滑動レールに回動自在かつ滑動自在に連結して設け
さらに前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３２】
請求項３０に記載の発明は
請求項２６から請求項２８に記載のいずれかの
回動自在かつ全方向に滑動自在な把持具を備えた携帯情報端末ケースにおいて
前記把持部には滑動レールをさらに備え、
前記把持部に備えた前記滑動レールを回動自在かつ滑動自在に
前記収納部に連結して設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３３】
請求項３１に記載の発明は
請求項２６から請求項２８に記載のいずれかの
回動自在かつ全方向に滑動自在な把持具を備えた携帯情報端末ケースにおいて
前記把持部には滑動レールをさらに備え、
前記把持部に備えた前記滑動レールを前記把持部が回動自在かつ滑動自在に設け
さらに前記滑動レールを前記収納部に連結して設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３４】
請求項３２に記載の発明は
請求項２６から請求項３１に記載のいずれかの
回動自在かつ全方向に滑動自在な把持具を備えた携帯情報端末ケースにおいて
さらに収納部の一部に外れ防止ストッパーを備え
さらに滑動補助部を備えた軸の滑動補助部に外れ防止ストッパーを備える
前記収納部に備えた外れ防止ストッパーと、前記軸に備えた滑動補助部の
外れ防止ストッパーにより、前記収納部と前記軸に備えた滑動補助部が外れることがなく
回動自在かつ全方向に滑動自在に設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３５】
請求項３３に記載の発明は
請求項２６から請求項３２に記載のいずれかの
回動自在かつ全方向に滑動自在な把持具を備えた携帯情報端末ケースにおいて
前記収納部を前記滑動補助部により、回動自在かつ滑動自在に挟んで設けたことを特徴とする
回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３６】
請求項３４に記載の発明は
請求項２６から請求項３３に記載のいずれかの
回動自在かつ全方向に滑動自在な把持具を備えた携帯情報端末ケースにおいて
前記把持具の一部に
把持部が全方向に滑動する範囲を調整自在にするストッパーをさらに設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３７】
請求項３５に記載の発明は
請求項２６から請求項３４に記載のいずれかの
回動自在かつ全方向に滑動自在な把持具を備えた携帯情報端末ケースにおいて
前記把持具の一部に、
全方向に滑動する把持部を固定自在にするストッパーをさらに設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３８】
請求項３６に記載の発明は
請求項２６から請求項３５に記載のいずれかの
回動自在かつ全方向に滑動自在な把持具を備えた携帯情報端末ケースにおいて
前記把持具を着脱自在に設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００３９】
請求項３７に記載の発明は
請求項２６から請求項３６に記載のいずれかの
回動自在かつ全方向に滑動自在な把持具を備えた携帯情報端末ケースにおいて
前記把持具に複数の滑動部を組み合わせたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４０】
請求項３８に記載の発明は
請求項２６から請求項３７に記載のいずれかの
回動自在かつ全方向に滑動自在な把持具を備えた携帯情報端末ケースにおいて
前記把持具を滑動させていないコンパクトな状態より
広いスペースで全方向に滑動自在に把持できるように把持部を設けたことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４１】
請求項３９に記載の発明は
請求項２６から請求項３８に記載のいずれかの
回動自在かつ全方向に滑動自在な把持具を備えた携帯情報端末ケースにおいて
携帯情報端末とは携帯電話端末を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４２】
請求項４０に記載の発明は
請求項２６から請求項３８に記載のいずれかの
回動自在かつ全方向に滑動自在な把持具を備えた携帯情報端末ケースにおいて
携帯情報端末とはスマートフォン端末を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４３】
請求項４１に記載の発明は
請求項２６から請求項３８に記載のいずれかの
回動自在かつ全方向に滑動自在な把持具を備えた携帯情報端末ケースにおいて
携帯情報端末とはタブレット端末を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４４】
請求項４２に記載の発明は
請求項２６から請求項３８に記載のいずれかの
回動自在かつ全方向に滑動自在な把持具を備えた携帯情報端末ケースにおいて
携帯情報端末とは電子書籍端末を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４５】
請求項４３に記載の発明は
請求項２６から請求項３８に記載のいずれかの
回動自在かつ全方向に滑動自在な把持具を備えた携帯情報端末ケースにおいて
携帯情報端末とはVR端末を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４６】
請求項４４に記載の発明は
請求項２６から請求項３８に記載のいずれかの
回動自在かつ全方向に滑動自在な把持具を備えた携帯情報端末ケースにおいて
携帯情報端末とはVR端末のコントローラーを含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４７】
請求項４５に記載の発明は
請求項２６から請求項３８に記載のいずれかの
回動自在かつ全方向に滑動自在な把持具を備えた携帯情報端末ケースにおいて
携帯情報端末とはゲーム機を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４８】
請求項４６に記載の発明は
請求項２６から請求項３８に記載のいずれかの
回動自在かつ全方向に滑動自在な把持具を備えた携帯情報端末ケースにおいて
携帯情報端末とはゲーム機のコントローラーを含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００４９】
請求項４７に記載の発明は
請求項２６から請求項３８に記載のいずれかの
回動自在かつ全方向に滑動自在な把持具を備えた携帯情報端末ケースにおいて
携帯情報端末とは携帯音楽プレーヤーを含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００５０】
請求項４８に記載の発明は
請求項２６から請求項３８に記載のいずれかの
回動自在かつ全方向に滑動自在な把持具を備えた携帯情報端末ケースにおいて
携帯情報端末とはウェアラブル端末を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００５１】
請求項４９に記載の発明は
請求項２６から請求項３８に記載のいずれかの
回動自在かつ全方向に滑動自在な把持具を備えた携帯情報端末ケースにおいて
携帯情報端末とは通信機能を備えた端末を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００５２】
請求項５０に記載の発明は
請求項２６から請求項３８に記載のいずれかの
回動自在かつ全方向に滑動自在な把持具を備えた携帯情報端末ケースにおいて
携帯情報端末とは電子辞書端末を含むことを
特徴とする回動自在かつ全方向に滑動自在な把持具を備えた携帯情報端末ケースである
これにより
把持部に手の指を通して
把持し手のひらの角度を変えることで把持部が滑動
することで携帯情報端末の画面に指が届く範囲を広く
することができる。
【００５３】
請求項５１に記載の発明は
携帯情報端末を装着して用いる
把持具を備えたバンパーであって
前記把持具に把持部と収納部と滑動補助部を備えた軸と装着部を設ける
さらに前記把持部と前記収納部を連結して設け、
前記軸に備えた滑動補助部を、前記収納部に内設して
前記収納部を回動自在かつ全方向へ滑動自在に設け
前記軸に前記装着部を連結して設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００５４】
請求項５２に記載の発明は
携帯情報端末を装着して用いる
把持具を備えたバンパーであって
前記把持具に把持部と収納部と滑動補助部を備えた軸と装着部を設ける
さらに前記把持部と前記滑動補助部を備えた軸を連結して設け、
前記軸に備えた滑動補助部を、前記収納部に内設して
前記滑動補助部を回動自在かつ全方向へ滑動自在に設け
さらに前記収納部に前記装着部を設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００５５】
請求項５３に記載の発明は
携帯情報端末を装着して用いる
把持具を備えたバンパーであって
前記把持具に第一滑動補助部と第二滑動補助部を備えた軸と把持部と第一収納部と第二収納部と装着部を設ける
さらに前記第一収納部と前記第二収納部の内部には回動自在かつ全方向へ滑動自在なスペースを備える
さらに前記把持部と前記第一収納部を連結して設け
前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００５６】
請求項５４に記載の発明は
携帯情報端末を装着して用いる
把持具を備えたバンパーであって
前記把持具に第一滑動補助部と第二滑動補助部を備えた軸と把持部と第一収納部と第二収納部と装着部を設ける
前記収納部には滑動レールをさらに備え、
さらに前記第一収納部と前記第二収納部の内部には回動自在かつ全方向へ滑動自在なスペースを備える
前記把持部を前記収納部に備えた前記滑動レールに回動自在かつ滑動自在に連結して設け
さらに前記第一収納部に前記軸の第一滑動補助部を内設して
前記第一収納部が回動自在かつ全方向へ滑動自在に設け
前記第二収納部に前記軸の第二滑動補助部を内設して
前記第二収納部が回動自在かつ全方向へ滑動自在に設け
さらに前記第二収納部に前記装着部を設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００５７】
請求項５５に記載の発明は
請求項５１から請求項５３に記載のいずれかの
回動自在かつ全方向に滑動自在な把持具を備えた携帯情報端末バンパーにおいて
前記把持部には滑動レールをさらに備え、
前記把持部に備えた前記滑動レールを回動自在かつ滑動自在に
前記収納部に連結して設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００５８】
請求項５６に記載の発明は
請求項５１から請求項５３に記載のいずれかの
回動自在かつ全方向に滑動自在な把持具を備えた携帯情報端末バンパーにおいて
前記把持部には滑動レールをさらに備え、
前記把持部に備えた前記滑動レールを前記把持部が回動自在かつ滑動自在に設け
さらに前記滑動レールを前記収納部に連結して設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００５９】
請求項５７に記載の発明は
請求項５１から請求項５６に記載のいずれかの
回動自在かつ全方向に滑動自在な把持具を備えた携帯情報端末バンパーにおいて
さらに収納部の一部に外れ防止ストッパーを備え
さらに滑動補助部を備えた軸の滑動補助部に外れ防止ストッパーを備える
前記収納部に備えた外れ防止ストッパーと、前記軸に備えた滑動補助部の
外れ防止ストッパーにより、前記収納部と前記軸に備えた滑動補助部が外れることがなく
回動自在かつ全方向に滑動自在に設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６０】
請求項５８に記載の発明は
請求項５１から請求項５７に記載のいずれかの
回動自在かつ全方向に滑動自在な把持具を備えた携帯情報端末バンパーにおいて
前記収納部を前記滑動補助部により、回動自在かつ滑動自在に挟んで設けたことを特徴とする
回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６１】
請求項５９に記載の発明は
請求項５１から請求項５８に記載のいずれかの
回動自在かつ全方向に滑動自在な把持具を備えた携帯情報端末バンパーにおいて
前記把持具の一部に
把持部が全方向に滑動する範囲を調整自在にするストッパーをさらに設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６２】
請求項６０に記載の発明は
請求項５１から請求項５９に記載のいずれかの
回動自在かつ全方向に滑動自在な把持具を備えた携帯情報端末バンパーにおいて
前記把持具の一部に、
全方向に滑動する把持部を固定自在にするストッパーをさらに設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６３】
請求項６１に記載の発明は
請求項５１から請求項６０に記載のいずれかの
回動自在かつ全方向に滑動自在な把持具を備えた携帯情報端末バンパーにおいて
前記把持具を着脱自在に設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６４】
請求項６２に記載の発明は
請求項５１から請求項６１に記載のいずれかの
回動自在かつ全方向に滑動自在な把持具を備えた携帯情報端末バンパーにおいて
前記把持具に複数の滑動部を組み合わせたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６５】
請求項６３に記載の発明は
請求項５１から請求項６２に記載のいずれかの
回動自在かつ全方向に滑動自在な把持具を備えた携帯情報端末バンパーにおいて
前記把持具を滑動させていないコンパクトな状態より
広いスペースで全方向に滑動自在に把持できるように把持部を設けたことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６６】
請求項６４に記載の発明は
請求項５１から請求項６３に記載のいずれかの
回動自在かつ全方向に滑動自在な把持具を備えた携帯情報端末バンパーにおいて
携帯情報端末とは携帯電話端末を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６７】
請求項６５に記載の発明は
請求項５１から請求項６３に記載のいずれかの
回動自在かつ全方向に滑動自在な把持具を備えた携帯情報端末バンパーにおいて
携帯情報端末とはスマートフォン端末を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６８】
請求項６６に記載の発明は
請求項５１から請求項６３に記載のいずれかの
回動自在かつ全方向に滑動自在な把持具を備えた携帯情報端末バンパーにおいて
携帯情報端末とはタブレット端末を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００６９】
請求項６７に記載の発明は
請求項５１から請求項６３に記載のいずれかの
回動自在かつ全方向に滑動自在な把持具を備えた携帯情報端末バンパーにおいて
携帯情報端末とは電子書籍端末を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００７０】
請求項６８に記載の発明は
請求項５１から請求項６３に記載のいずれかの
回動自在かつ全方向に滑動自在な把持具を備えた携帯情報端末バンパーにおいて
携帯情報端末とはVR端末を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００７１】
請求項６９に記載の発明は
請求項５１から請求項６３に記載のいずれかの
回動自在かつ全方向に滑動自在な把持具を備えた携帯情報端末バンパーにおいて
携帯情報端末とはVR端末のコントローラーを含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００７２】
請求項７０に記載の発明は
請求項５１から請求項６３に記載のいずれかの
回動自在かつ全方向に滑動自在な把持具を備えた携帯情報端末バンパーにおいて
携帯情報端末とはゲーム機を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００７３】
請求項７１に記載の発明は
請求項５１から請求項６３に記載のいずれかの
回動自在かつ全方向に滑動自在な把持具を備えた携帯情報端末バンパーにおいて
携帯情報端末とはゲーム機のコントローラーを含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００７４】
請求項７２に記載の発明は
請求項５１から請求項６３に記載のいずれかの
回動自在かつ全方向に滑動自在な把持具を備えた携帯情報端末バンパーにおいて
携帯情報端末とは携帯音楽プレーヤーを含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００７５】
請求項７３に記載の発明は
請求項５１から請求項６３に記載のいずれかの
回動自在かつ全方向に滑動自在な把持具を備えた携帯情報端末バンパーにおいて
携帯情報端末とはウェアラブル端末を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００７６】
請求項７４に記載の発明は
請求項５１から請求項６３に記載のいずれかの
回動自在かつ全方向に滑動自在な把持具を備えた携帯情報端末バンパーにおいて
携帯情報端末とは通信機能を備えた端末を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【００７７】
請求項７５に記載の発明は
請求項５１から請求項６３に記載のいずれかの
回動自在かつ全方向に滑動自在な把持具を備えた携帯情報端末バンパーにおいて
携帯情報端末とは電子辞書端末を含むことを
特徴とする回動自在かつ全方向に滑動自在な把持具を備えた携帯情報端末バンパーである
これにより
把持部に手の指を通して
把持し手のひらの角度を変えることで把持部が滑動
することで携帯情報端末の画面に指が届く範囲を広く
することができる。
【発明の効果】
【００７８】
本発明により、把持部に指を通した手で片手操作をする場合に、携帯情報端末を操作する
指の範囲が狭くなってしまうという不都合は起きず、滑動自在な把持部により把持したま
ま指の操作範囲を広げることができる。
【発明を実施するための形態】
【００７９】
以下、本発明の実施の形態を説明する
[実施形態１］
本発明の滑動自在な把持具（A１１）の構成は
滑動自在な把持具（A１１）に
把持部（A１２）と滑動部（A２６）と収納部（A２７）と滑動補助部を備えた軸（A２８）と装着部（A３２）
を設ける
収納部（A２７）には外れ防止ストッパー（A２９）と滑動レール（A３５）をさらに備える。
滑動補助部を備えた軸（A２８）の滑動補助部（A３６）に外れ防止ストッパー（A３４）をさらに備える
把持部（A１２）には、ネジ部（A２３）とストッパー（A２５）をさらに備える。
滑動部（A２６）にはネジ部（A２４）を備える
滑動部（A２６）に備えたネジ部（A２４）と把持部（A１２）に備えたネジ部（A２３）を回しはめて連結し、
把持部（A１２）と連結した滑動部（A２６）を
収納部（A２７）に備えた滑動レール（A３５）に回動自在かつ滑動自在に取り付ける。
滑動補助部を備えた軸（A２８）の滑動補助部（A３６）を収納部（A２７）に内設して
収納部（A２７）を回動自在かつ全方向にも滑動自在に設け、
収納部（A２７）に備えた外れ防止ストッパー（A２９）と滑動補助部を備えた軸（A２８）の
外れ防止ストッパー（A３４）により、収納部（A２７）と
滑動補助部を備えた軸（A２８）が外れないように設け、滑動補助部を備えた軸（B２８）に
装着部（B３２）を設ける
本発明の滑動自在な把持具（A１１）を使用する場合は
携帯情報端末または携帯情報端末バンパーまたは携帯情報端末ケースなどに
滑動自在な把持具（A１１）の装着部（A３２）により装着し滑動自在な把持具（A１１）
に設けた把持部（A１２）に手の指を通して把持し手のひらの角度を
変えることで把持部（A１２）に連結した滑動部（A２６）が収納部（A２７）に備えた
滑動レール（A３５）により滑動スペース（A３１）を回動自在かつ自在に滑動し、さらに
収納部（A２７）に内設した、滑動補助部を備えた軸（A２８）の滑動補助部（３６）と収納部（A２７）との間には
回動、滑動自在なスペース（A３０）があるため
収納部（A２７）が回動自在かつ全方向にも自在に滑動することで
携帯情報端末の画面をタッチする際に指が届く範囲が広くして滑動自在に把持ができる
また把持部が滑動することで把持具（A１１）のコンパクトにしたサイズより広い範囲に把持部（A１２）の滑動が自在になる
また把持部（A１２）に備えたストッパー（A２５）により、好きな位置で自在に把持部（A１２）を固定して
把持することもできる。
また滑動部（A２６）と収納部（A２７）の二つの滑動部を組み合わせたことで、滑動範囲をさらに広くしている。
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
【００８０】
[実施形態２］
本発明の滑動自在な把持部を備えた携帯情報端末バンパー（AA１６）の構成は
滑動自在な把持部を備えた携帯情報端末バンパー（AA１６）に
把持部（AA１２）と滑動部（AA２６）と収納部（AA２７）と滑動補助部を備えた軸（AA２８）
を設ける
収納部（AA２７）には外れ防止ストッパー（AA２９）と滑動レール（AA３５）をさらに備える。
滑動補助部を備えた軸（AA２８）の滑動補助部（AA３６）に外れ防止ストッパー（AA３４）をさらに備える
把持部（AA１２）には、ネジ部（AA２３）とストッパー（AA２５）をさらに備える。
滑動部（AA２６）にはネジ部（AA２４）を備える
滑動部（AA２６）に備えたネジ部（AA２４）と把持部（AA１２）に備えたネジ部（AA２３）を回しはめて連結し、
把持部（AA１２）と連結した滑動部（AA２６）を
収納部（AA２７）に備えた滑動レール（AA３５）に回動自在かつ滑動自在に取り付ける。
滑動補助部を備えた軸（AA２８）の滑動補助部（AA３６）を収納部（AA２７）に内設して
収納部（AA２７）を回動自在かつ全方向にも滑動自在に設け、
収納部（AA２７）に備えた外れ防止ストッパー（AA２９）と滑動補助部を備えた軸（AA２８）の
外れ防止ストッパー（AA３４）により、収納部（AA２７）と
滑動補助部を備えた軸（AA２８）が外れないように設ける
本発明の滑動自在な把持部を備えた携帯情報端末バンパー（AA１６）を使用する場合は
携帯情報端末（AA２１）に携帯情報端末バンパー（AA１６）を装着し、携帯情報端末バンパー（AA１６）の
滑動自在な把持具（AA１１）に設けた把持部（AA１２）に手の指を通して把持し手のひらの角度を
変えることで把持部（AA１２）に連結した滑動部（AA２６）が収納部（AA２７）に備えた
滑動レール（AA３５）により滑動スペース（AA３１）を回動自在かつ自在に滑動し、さらに
収納部（AA２７）に内設した、滑動補助部を備えた軸（AA２８）の滑動補助部（３６）と収納部（AA２７）との間には
回動、滑動自在なスペース（AA３０）があるため
収納部（AA２７）が回動自在かつ全方向にも自在に滑動することで
携帯情報端末の画面をタッチする際に指が届く範囲が広くして滑動自在に把持ができる
また把持部が滑動することで把持具（AA１１）のコンパクトにしたサイズより広い範囲に把持部（AA１２）の滑動が自在になる
また把持部（AA１２）に備えたストッパー（AA２５）により、好きな位置で自在に把持部（AA１２）を固定して
把持することもできる。
また滑動部（AA２６）と収納部（AA２７）の二つの滑動部を組み合わせたことで、滑動範囲をさらに広くしている。
また構造上仰向けなって把持具に指を通して操作する場合も手の角度を変えるだけで回動自在かつ滑動自在に把持することができる
【００８１】
[実施形態３］
本発明の滑動自在な把持部を備えた携帯情報端末ケース（AAA１８）の構成は
滑動自在な把持部を備えた携帯情報端末ケース（AAA１８）に
把持部（AAA１２）と滑動部（AAA２６）と収納部（AAA２７）と滑動補助部を備えた軸（AAA２８）
を設ける
収納部（AAA２７）には外れ防止ストッパー（AAA２９）と滑動レール（AAA３５）をさらに備える。
滑動補助部を備えた軸（AAA２８）の滑動補助部に（AAA３６）外れ防止ストッパー（AAA３４）をさらに備える
把持部（AAA１２）には、ネジ部（AAA２３）とストッパー（AAA２５）をさらに備える。
滑動部（AAA２６）にはネジ部（AAA２４）を備える
滑動部（AAA２６）に備えたネジ部（AAA２４）と把持部（AAA１２）に備えたネジ部（AAA２３）を回しはめて連結し、
把持部（AAA１２）と連結した滑動部（AAA２６）を
収納部（AAA２７）に備えた滑動レール（AAA３５）に回動自在かつ滑動自在に取り付ける。
滑動補助部を備えた軸（AAA２８）の滑動補助部（AAA３６）を収納部（AAA２７）に内設して
収納部（AAA２７）を回動自在かつ全方向にも滑動自在に設け、
収納部（AAA２７）に備えた外れ防止ストッパー（AAA２９）と滑動補助部を備えた軸（AAA２８）の
外れ防止ストッパー（AAA３４）により、収納部（AAA２７）と
滑動補助部を備えた軸（AAA２８）が外れないように設ける
本発明の滑動自在な把持部を備えた携帯情報端末ケース（AAA１８）を使用する場合は
携帯情報端末（AAA２１）に携帯情報端末ケース（AAA１８）を装着し、携帯情報端末ケース（AAA１８）の
滑動自在な把持具（AAA１１）に設けた把持部（AAA１２）に手の指を通して把持し手のひらの角度を
変えることで把持部（AAA１２）に連結した滑動部（AAA２６）が収納部（AAA２７）に備えた
滑動レール（AAA３５）により滑動スペース（AAA３１）を回動自在かつ自在に滑動し、さらに
収納部（AAA２７）に内設した、滑動補助部を備えた軸（AAA２８）の滑動補助部（AAA３６）と収納部（AAA２７）との間には
回動、滑動自在なスペース（AAA３０）があるため
収納部（AAA２７）が回動自在かつ全方向にも自在に滑動することで
携帯情報端末の画面をタッチする際に指が届く範囲が広くして滑動自在に把持ができる
また把持部が滑動することで把持具（AAA１１）のコンパクトにしたサイズより広い範囲に把持部（AAA１２）の滑動が自在になる
また把持部（AAA１２）に備えたストッパー（AAA２５）により、好きな位置で自在に把持部（AAA１２）を固定して
把持することもできる。
また滑動部（AAA２６）と収納部（AAA２７）の二つの滑動部を組み合わせたことで、滑動範囲をさらに広くしている。
また構造上仰向けなって把持具に指を通して操作する場合も手の角度を変えるだけで回動自在かつ滑動自在に把持することができる
【００８２】
[実施形態４］
本発明の滑動自在な把持具（B１１）の構成は
滑動自在な把持具（B１１）に
把持部（B１２）と滑動部（B２６）と収納部（B２７）と滑動補助部を備えた軸（B２８）と装着部（B３２）
を設ける
収納部（B２７）には滑動レール（B３５）をさらに備える。
把持部（B１２）には、ネジ部（B２３）とストッパー（B２５）をさらに備える。
滑動部（B２６）にはネジ部（B２４）を備える
滑動部（B２６）に備えたネジ部（B２４）と把持部（B１２）に備えたネジ部（B２３）を回しはめて連結し、
把持部（B１２）と連結した滑動部（B２６）を
収納部（B２７）に備えた滑動レール（B３５）に回動自在かつ滑動自在に取り付ける。
滑動補助部を備えた軸（B２８）の滑動補助部（B３６）を収納部（B２７）に内設して
収納部（B２７）を回動自在かつ全方向にも滑動自在に設け、
滑動補助部を備えた軸（B２８）に装着部（B３２）を設ける
本発明の滑動自在な把持具（B１１）を使用する場合は
携帯情報端末または携帯情報端末バンパーまたは携帯情報端末ケースなどに
滑動自在な把持具（B１１）の装着部（B３２）により装着し滑動自在な把持具（B１１）
に設けた把持部（B１２）に手の指を通して把持し手のひらの角度を
変えることで把持部（B１２）に連結した滑動部（B２６）が収納部（B２７）に備えた
滑動レール（B３５）により滑動スペース（B３１）を回動自在かつ自在に滑動し、さらに
収納部（B２７）に内設した、滑動補助部を備えた軸（B２８）の滑動補助部（B３６）と収納部（B２７）との間には
回動、滑動自在なスペース（B３０）があるため
収納部（B２７）が回動自在かつ全方向にも自在に滑動することで
携帯情報端末の画面をタッチする際に指が届く範囲が広くして滑動自在に把持ができる
また把持部が滑動することで把持具（B１１）のコンパクトにしたサイズより広い範囲に把持部（B１２）の滑動が自在になる
また把持部（B１２）に備えたストッパー（B２５）により、好きな位置で自在に把持部（B１２）を固定して
把持することもできる。
また滑動部（B２６）と収納部（B２７）の二つの滑動部を組み合わせたことで、滑動範囲をさらに広くしている。
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
【００８３】
[実施形態５］
本発明の滑動自在な把持部を備えた携帯情報端末バンパー（BB１６）の構成は
滑動自在な把持部を備えた携帯情報端末バンパー（BB１６）に
把持部（BB１２）と滑動部（BB２６）と収納部（BB２７）と滑動補助部を備えた軸（BB２８）
を設ける
収納部（BB２７）には滑動レール（BB３５）をさらに備える。
把持部（BB１２）には、ネジ部（BB２３）とストッパー（BB２５）をさらに備える。
滑動部（BB２６）にはネジ部（BB２４）を備える
滑動部（BB２６）に備えたネジ部（BB２４）と把持部（BB１２）に備えたネジ部（BB２３）を回しはめて連結し、
把持部（BB１２）と連結した滑動部（BB２６）を
収納部（BB２７）に備えた滑動レール（BB３５）に回動自在かつ滑動自在に取り付ける。
滑動補助部を備えた軸（BB２８）の滑動補助部（BB３６）を収納部（BB２７）に内設して
収納部（BB２７）を回動自在かつ全方向にも滑動自在に設ける
本発明の滑動自在な把持部を備えた携帯情報端末バンパー（BB１６）を使用する場合は
携帯情報端末（BB２１）に携帯情報端末バンパー（BB１６）を装着し、携帯情報端末バンパー（BB１６）の
滑動自在な把持具（BB１１）に設けた把持部（BB１２）に手の指を通して把持し手のひらの角度を
変えることで把持部（BB１２）に連結した滑動部（BB２６）が収納部（BB２７）に備えた
滑動レール（BB３５）により滑動スペース（BB３１）を回動自在かつ自在に滑動し、さらに
収納部（BB２７）に内設した、滑動補助部を備えた軸（BB２８）の滑動補助部（BB３６）と収納部（BB２７）との間には
回動、滑動自在なスペース（BB３０）があるため
収納部（BB２７）が回動自在かつ全方向にも自在に滑動することで
携帯情報端末の画面をタッチする際に指が届く範囲が広くして滑動自在に把持ができる
また把持部が滑動することで把持具（BB１１）のコンパクトにしたサイズより広い範囲に把持部（BB１２）の滑動が自在になる
また把持部（BB１２）に備えたストッパー（BB２５）により、好きな位置で自在に把持部（BB１２）を固定して
把持することもできる。
また滑動部（BB２６）と収納部（BB２７）の二つの滑動部を組み合わせたことで、滑動範囲をさらに広くしている。
また構造上仰向けなって把持具に指を通して操作する場合も手の角度を変えるだけで回動自在かつ滑動自在に把持することができる
【００８４】
[実施形態６］
本発明の滑動自在な把持部を備えた携帯情報端末ケース（BBB１８）の構成は
滑動自在な把持部を備えた携帯情報端末ケース（BBB１８）に
把持部（BBB１２）と滑動部（BBB２６）と収納部（BBB２７）と滑動補助部を備えた軸（BBB２８）
を設ける
収納部（BBB２７）には滑動レール（BBB３５）をさらに備える。
把持部（BBB１２）には、ネジ部（BBB２３）とストッパー（BBB２５）をさらに備える。
滑動部（BBB２６）にはネジ部（BBB２４）を備える
滑動部（BBB２６）に備えたネジ部（BBB２４）と把持部（BBB１２）に備えたネジ部（BBB２３）を回しはめて連結し、
把持部（BBB１２）と連結した滑動部（BBB２６）を
収納部（BBB２７）に備えた滑動レール（BBB３５）に回動自在かつ滑動自在に取り付ける。
滑動補助部を備えた軸（BBB２８）の滑動補助部（BBB３６）を収納部（BBB２７）に内設して
収納部（BBB２７）を回動自在かつ全方向にも滑動自在に設ける
本発明の滑動自在な把持部を備えた携帯情報端末ケース（BBB１８）を使用する場合は
携帯情報端末（BBB２１）に携帯情報端末ケース（BBB１８）を装着し、携帯情報端末ケース（BBB１８）の
滑動自在な把持具（BBB１１）に設けた把持部（BBB１２）に手の指を通して把持し手のひらの角度を
変えることで把持部（BBB１２）に連結した滑動部（BBB２６）が収納部（BBB２７）に備えた
滑動レール（BBB３５）により滑動スペース（BBB３１）を回動自在かつ自在に滑動し、さらに
収納部（BBB２７）に内設した、滑動補助部を備えた軸（BBB２８）の滑動補助部（BBB３６）と収納部（BBB２７）との間には
回動、滑動自在なスペース（BBB３０）があるため
収納部（BBB２７）が回動自在かつ全方向にも自在に滑動することで
携帯情報端末の画面をタッチする際に指が届く範囲が広くして滑動自在に把持ができる
また把持部が滑動することで把持具（BBB１１）のコンパクトにしたサイズより広い範囲に把持部（BBB１２）の滑動が自在になる
また把持部（BBB１２）に備えたストッパー（BBB２５）により、好きな位置で自在に把持部（BBB１２）を固定して
把持することもできる。
また滑動部（BBB２６）と収納部（BBB２７）の二つの滑動部を組み合わせたことで、滑動範囲をさらに広くしている。
また構造上仰向けなって把持具に指を通して操作する場合も手の角度を変えるだけで回動自在かつ滑動自在に把持することができる
【００８５】
[実施形態７］
本発明の滑動自在な把持具（C１１）の構成は
把持具（C１１）に第一滑動補助部（C４１）と第二滑動補助部（C４２）を備えた軸（C２８）と
把持部（C１２）と第一収納部（C２７）と第二収納部（C３６）と装着部（C３２）と滑動部（C２６）を設ける
さらに前記第一収納部（C２７）の内部に滑動自在なスペース（C３０）を備え、前記第二収納部（C３６）の内部に滑動自在なスペース（C４０）を備える
さらに滑動部（C２６）にネジ部（C２４）を備える
さらに第一収納部（C２７）には滑動スペース（C３１）と滑動レール（C３５）を備える。
把持部（C１２）には、ネジ部（C２３）とストッパー（C２５）をさらに備える。
第二収納部（C３６）にネジ部（C３８）をさらに備え
第二収納部（C３６）と接続する装着部（C３２）に
ネジ部（C３７）とストッパー（C３９）と装着面（C３３）をさらに備える
滑動部（C２６）に備えたネジ部（C２４）と把持部（C１２）に備えたネジ部（C２３）を回しはめて接続し、
把持部（C１２）と連結した滑動部（C２６）を
収納部（C２７）に備えた滑動レール（C３５）に回動自在かつ滑動自在に取り付ける。
さらに第二収納部（C３６）に備えたネジ部（C３８）と装着部（C３２）に備えたネジ部（C３７）を回しはめて接続する。
さらに滑動補助部を備えた軸（C２８）の第一滑動補助部（C４１）を第一収納部（C２７）に内設して
第一収納部（C４１）が回動自在かつ全方向へ滑動自在に設け、
さらに第二滑動補助部（C４２）を第二収納部（C３６）に内設して
第二収納部（C３６）が回動自在かつ全方向へ滑動自在に設ける
本発明の滑動自在な把持具（C１１）を使用する場合は
携帯情報端末または携帯情報端末バンパーまたは携帯情報端末ケースなどに
滑動自在な把持具（C１１）の装着部（C３２）により装着し滑動自在な把持具（C１１）
に設けた把持部（C１２）に手の指を通して把持し手のひらの角度を
変えることで把持部（C１２）に連結した滑動部（C２６）が第一収納部（C２７）に備えた滑動レール（C３５）により滑動スペース（C３１）を回動自在かつ自在に滑動し、さらに
第一収納部（C２７）に内設した、第一滑動補助部（C４１）との間には、滑動自在なスペース（C３０）
があり、さらに第二収納部（C３６）に内設した第二滑動補助部（C４２）との間には、滑動自在なスペース（C４０）があるため、第一収納部（C２７）と第二収納部（C３６）が回動自在かつ全方向にも自在に滑動することで携帯情報端末の画面をタッチする際に指が届く範囲が広くして滑動自在に把持ができる
また把持部が滑動することで把持具（B１１）のコンパクトにしたサイズより広い範囲に把持部（B１２）の滑動が自在になる
また把持部（B１２）に備えたストッパー（C２５）と装着部（C３２）に備えたストッパー（C３９）により、好きな位置で自在に把持部（C１２）を固定して把持することもできる。
また把持部（B１２）に備えたストッパー（C２５）または装着部（C３２）に備えたストッパー（C３９）のどちらかをネジを閉めることにより、滑動自在となる範囲を制限することができる
また滑動部（C２６）と第一収納部（C２７）と第二収納部（C３６）の３つの滑動部を組み合わせたことで、滑動範囲をさらに広くしている。
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
【００８６】
[実施形態８］
本発明の滑動自在な把持部を備えた携帯情報端末バンパー（CC１６）の構成は
滑動自在な把持部を備えた携帯情報端末バンパー（CC１６）に
第一滑動補助部（CC４１）と第二滑動補助部（CC４２）を備えた軸（CC２８）と
把持部（CC１２）と第一収納部（CC２７）と第二収納部（CC３６）と装着部（CC３２）と滑動部（CC２６）を設ける
さらに前記第一収納部（CC２７）の内部に滑動自在なスペース（CC３０）を備え、前記第二収納部（CC３６）の内部に滑動自在なスペース（CC４０）を備える
さらに滑動部（CC２６）にネジ部（CC２４）を備える
さらに第一収納部（CC２７）には滑動スペース（CC３１）と滑動レール（CC３５）を備える。
把持部（CC１２）には、ネジ部（CC２３）とストッパー（CC２５）をさらに備える。
第二収納部（CC３６）にネジ部（CC３８）をさらに備え
第二収納部（CC３６）と接続する装着部（CC３２）に
ネジ部（CC３７）とストッパー（CC３９）と装着面（CC３３）をさらに備える
滑動部（CC２６）に備えたネジ部（CC２４）と把持部（CC１２）に備えたネジ部（CC２３）を回しはめて接続し、
把持部（CC１２）と連結した滑動部（CC２６）を
収納部（CC２７）に備えた滑動レール（CC３５）に回動自在かつ滑動自在に取り付ける。
さらに第二収納部（CC３６）に備えたネジ部（CC３８）と装着部（CC３２）に備えたネジ部（CC３７）を回しはめて接続する。
さらに滑動補助部を備えた軸（CC２８）の第一滑動補助部（CC４１）を第一収納部（CC２７）に内設して
第一収納部（CC４１）が回動自在かつ全方向へ滑動自在に設け、
さらに第二滑動補助部（CC４２）を第二収納部（CC３６）に内設して
第二収納部（CC３６）が回動自在かつ全方向へ滑動自在に設ける
本発明の滑動自在な把持部を備えた携帯情報端末バンパー（CC１６）を使用する場合は
携帯情報端末（CC２１）に携帯情報端末バンパー（CC１６）を装着し、携帯情報端末バンパー（CC１６）の
滑動自在な把持具（CC１１）に設けた把持部（CC１２）に手の指を通して把持し手のひらの角度を
変えることで把持部（CC１２）に連結した滑動部（CC２６）が第一収納部（CC２７）に備えた滑動レール（CC３５）により滑動スペース（CC３１）を回動自在かつ自在に滑動し、さらに
第一収納部（CC２７）に内設した、第一滑動補助部（CC４１）との間には、滑動自在なスペース（CC３０）
があり、さらに第二収納部（CC３６）に内設した第二滑動補助部（CC４２）との間には、滑動自在なスペース（CC４０）があるため、第一収納部（CC２７）と第二収納部（CC３６）が回動自在かつ全方向にも自在に滑動することで
携帯情報端末の画面をタッチする際に指が届く範囲が広くして滑動自在に把持ができる
また把持部が滑動することで把持具（CC１１）のコンパクトにしたサイズより広い範囲に把持部（CC１２）の滑動が自在になる
また把持部（CC１２）に備えたストッパー（CC２５）と装着部（CC３２）に備えたストッパー（CC３９）により、好きな位置で自在に把持部（CC１２）を固定して把持することもできる。
また把持部（CC１２）に備えたストッパー（CC２５）または装着部（CC３２）に備えたストッパー（CC３９）のどちらかをネジを閉めることにより、滑動自在となる範囲を制限することができる
また滑動部（CC２６）と第一収納部（CC２７）と第二収納部（CC３６）の３つの滑動部を組み合わせたことで、滑動範囲をさらに広くしている。
また構造上仰向けなって把持具に指を通して操作する場合も手の角度を変えるだけで回動自在かつ滑動自在に把持することができる
【００８７】
[実施形態９］
本発明の滑動自在な把持部を備えた携帯情報端末ケース（CCC１８）の構成は
滑動自在な把持部を備えた携帯情報端末ケース（CCC１８）に
第一滑動補助部（CCC４１）と第二滑動補助部（CCC４２）を備えた軸（CCC２８）と
把持部（CCC１２）と第一収納部（CCC２７）と第二収納部（CCC３６）と装着部（CCC３２）と滑動部（CCC２６）を設ける
さらに前記第一収納部（CCC２７）の内部に滑動自在なスペース（CCC３０）を備え、前記第二収納部（CCC３６）の内部に滑動自在なスペース（CCC４０）を備える
さらに滑動部（CCC２６）にネジ部（CCC２４）を備える
さらに第一収納部（CCC２７）には滑動スペース（CCC３１）と滑動レール（CCC３５）を備える。
把持部（CCC１２）には、ネジ部（CCC２３）とストッパー（CCC２５）をさらに備える。
第二収納部（CCC３６）にネジ部（CCC３８）をさらに備え
第二収納部（CCC３６）と接続する装着部（CCC３２）に
ネジ部（CCC３７）とストッパー（CCC３９）と装着面（CCC３３）をさらに備える
滑動部（CCC２６）に備えたネジ部（CCC２４）と把持部（CCC１２）に備えたネジ部（CCC２３）を回しはめて接続し、
把持部（CCC１２）と連結した滑動部（CCC２６）を
収納部（CCC２７）に備えた滑動レール（CCC３５）に回動自在かつ滑動自在に取り付ける。
さらに第二収納部（CCC３６）に備えたネジ部（CCC３８）と装着部（CCC３２）に備えたネジ部（CCC３７）を回しはめて接続する。
さらに滑動補助部を備えた軸（CCC２８）の第一滑動補助部（CCC４１）を第一収納部（CCC２７）に内設して
第一収納部（CCC４１）が回動自在かつ全方向へ滑動自在に設け、
さらに第二滑動補助部（CCC４２）を第二収納部（CCC３６）に内設して
第二収納部（CCC３６）が回動自在かつ全方向へ滑動自在に設ける
本発明の滑動自在な把持部を備えた携帯情報端末ケース（CCC１８）を使用する場合は
携帯情報端末（CCC２１）に携帯情報端末ケース（CCC１８）を装着し、携帯情報端末ケース（CCC１８）の
把持具（CCC１１）に設けた把持部（CCC１２）に手の指を通して把持し手のひらの角度を
変えることで把持部（CCC１２）に連結した滑動部（CCC２６）が第一収納部（CCC２７）に備えた滑動レール（CCC３５）により滑動スペース（CCC３１）を回動自在かつ自在に滑動し、さらに
第一収納部（CCC２７）に内設した、第一滑動補助部（CCC４１）との間には、滑動自在なスペース（CCC３０）
があり、さらに第二収納部（CCC３６）に内設した第二滑動補助部（CCC４２）との間には、滑動自在なスペース（CCC４０）があるため、第一収納部（CCC２７）と第二収納部（CCC３６）が回動自在かつ全方向にも自在に滑動することで
携帯情報端末の画面をタッチする際に指が届く範囲が広くして滑動自在に把持ができる
また把持部が滑動することで把持具（CCC１１）のコンパクトにしたサイズより広い範囲に把持部（CCC１２）の滑動が自在になる
また把持部（CCC１２）に備えたストッパー（CCC２５）と装着部（CCC３２）に備えたストッパー（CCC３９）により、好きな位置で自在に把持部（CCC１２）を固定して把持することもできる。
また把持部（CCC１２）に備えたストッパー（CCC２５）または装着部（CCC３２）に備えたストッパー（CCC３９）のどちらかをネジを閉めることにより、滑動自在となる範囲を制限することができる
また滑動部（CCC２６）と第一収納部（CCC２７）と第二収納部（CCC３６）の３つの滑動部を組み合わせたことで、滑動範囲をさらに広くしている。
また構造上仰向けなって把持具に指を通して操作する場合も手の角度を変えるだけで回動自在かつ滑動自在に把持することができる
【００８８】
[実施形態１０］
本発明の滑動自在な把持具（D１１）の構成は
滑動自在な把持具（D１１）に
滑動補助部を備えた軸（D２８）と、把持部（D１２）と収納部（D２７）と装着部（D３３）を設ける
さらに収納部（D２７）に滑動スペース（D３０）を備え
さらに滑動補助部を備えた軸（D２８）には滑動補助部（E２６）と滑動補助部（E３２）を備え
滑動補助部（E２６）と滑動補助部（E３２）により滑動部としての機能を備える
さらに把持部（D１２）には、凹凸部（D２３）とストッパー（D２５）をさらに備え
さらに滑動補助部を備えた軸（D２８）の一部に凹凸部（D２３）と係合する
凹凸部（D２４）をさらに備える。
滑動補助部を備えた軸（D２８）の凹凸部（D２４）と把持部（D１２）に備えた凹凸部（D２３）を接続し、
さらに滑動補助部を備えた軸（D２８）の滑動補助部（D３２）を収納部（D２７）に内設して
滑動補助部を備えた軸（D２８）を回動自在かつ全方向へ滑動自在に設け
さらに収納部（D２７）と装着部（D３３）を設ける。
本発明の滑動自在な把持具（D１１）を使用する場合は
携帯情報端末または携帯情報端末バンパーまたは携帯情報端末ケースなどに
滑動自在な把持具（D１１）の装着部（D３３）により装着し滑動自在な把持具（D１１）
に設けた把持部（D１２）に手の指を通して把持し手のひらの角度を
変えることで把持部（D１２）に連結した
滑動補助部を備えた軸（D２８）の滑動補助部（D２６）が収納部（D２７）の滑動自在なスペース（D３０）を
回動自在かつ全方向にも自在に滑動して
携帯情報端末の画面をタッチする際に指が届く範囲が広くして滑動自在に把持ができる
また把持部（D１２）に備えたストッパー（D２５）により、好きな位置で把持部を押すことで自在に把持部（D１２）を固定して把持することもできる。
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
また構造上仰向けなって把持具に指を通して操作する場合も手の角度を変えるだけで回動自在かつ滑動自在に把持することができる
【００８９】
[実施形態１１］
本発明の滑動自在な把持部を備えた携帯情報端末バンパー（DD１６）の構成は
滑動自在な把持部を備えた携帯情報端末バンパー（DD１６）に
滑動補助部を備えた軸（DD２８）と、把持部（DD１２）と収納部（DD２７）と装着部（DD３３）を設ける
さらに収納部（DD２７）に滑動スペース（DD３０）を備え
さらに滑動補助部を備えた軸（DD２８）には滑動補助部（E２６）と滑動補助部（E３２）を備え
滑動補助部（E２６）と滑動補助部（E３２）により滑動部としての機能を備える
さらに把持部（DD１２）には、凹凸部（DD２３）とストッパー（DD２５）をさらに備え
さらに滑動補助部を備えた軸（DD２８）の一部に凹凸部（DD２３）と係合する
凹凸部（DD２４）をさらに備える。
滑動補助部を備えた軸（DD２８）の凹凸部（DD２４）と把持部（DD１２）に備えた凹凸部（DD２３）を接続し、
さらに滑動補助部を備えた軸（DD２８）の滑動補助部（DD３２）を収納部（DD２７）に内設して
滑動補助部を備えた軸（DD２８）を回動自在かつ全方向へ滑動自在に設ける
本発明の滑動自在な把持部を備えた携帯情報端末バンパー（DD１６）を使用する場合は
携帯情報端末を滑動自在な把持部を備えた携帯情報端末バンパー（DD１６）に装着し携帯情報端末バンパー（DD１６）の
滑動自在な把持具（DD１１）に設けた把持部（DD１２）に手の指を通して把持し手のひらの角度を
変えることで把持部（DD１２）に連結した
滑動補助部を備えた軸（DD２８）の滑動補助部（DD２６）が収納部（DD２７）の滑動自在なスペース（DD３０）を
回動自在かつ全方向にも自在に滑動して
携帯情報端末の画面をタッチする際に指が届く範囲が広くして滑動自在に把持ができる
また把持部（DD１２）に備えたストッパー（DD２５）により、好きな位置で把持部を押すことで自在に把持部（DD１２）を固定して把持することもできる。
また構造上仰向けなって把持具に指を通して操作する場合も手の角度を変えるだけで回動自在かつ滑動自在に把持することができる
【００９０】
[実施形態１２］
本発明の滑動自在な把持部を備えた携帯情報端末ケース（DDD１８）の構成は
滑動自在な把持部を備えた携帯情報端末ケース（DDD１８）に
滑動補助部を備えた軸（DDD２８）と、把持部（DDD１２）と収納部（DDD２７）と装着部（DDD３３）を設ける
さらに収納部（DDD２７）に滑動スペース（DDD３０）を備え
さらに滑動補助部を備えた軸（DDD２８）には滑動補助部（E２６）と滑動補助部（E３２）を備え
滑動補助部（E２６）と滑動補助部（E３２）により滑動部としての機能を備える
さらに把持部（DDD１２）には、凹凸部（DDD２３）とストッパー（DDD２５）をさらに備え
さらに滑動補助部を備えた軸（DDD２８）の一部に凹凸部（DDD２３）と係合する
凹凸部（DDD２４）をさらに備える。
滑動補助部を備えた軸（DDD２８）の凹凸部（DDD２４）と把持部（DDD１２）に備えた凹凸部（DDD２３）を接続し、
さらに滑動補助部を備えた軸（DDD２８）の滑動補助部（DDD３２）を収納部（DDD２７）に内設して
滑動補助部を備えた軸（DDD２８）を回動自在かつ全方向へ滑動自在に設ける
本発明の滑動自在な把持部を備えた携帯情報端末ケース（DDD１８）を使用する場合は
携帯情報端末を滑動自在な把持部を備えた携帯情報端末ケース（DDD１８）に装着し携帯情報端末ケース（DDD１８）の
滑動自在な把持具（DDD１１）に設けた把持部（DDD１２）に手の指を通して把持し手のひらの角度を
変えることで把持部（DDD１２）に連結した
滑動補助部を備えた軸（DDD２８）の滑動補助部（DDD２６）が収納部（DDD２７）の滑動自在なスペース（DDD３０）を
回動自在かつ全方向にも自在に滑動して
携帯情報端末の画面をタッチする際に指が届く範囲が広くして滑動自在に把持ができる
また把持部（DDD１２）に備えたストッパー（DDD２５）により、好きな位置で把持部を押すことで自在に把持部（DDD１２）を固定して把持することもできる。
また構造上仰向けなって把持具に指を通して操作する場合も手の角度を変えるだけで回動自在かつ滑動自在に把持することができる
【００９１】
[実施形態１３］
本発明の滑動自在な把持具（E１１）の構成は
滑動自在な把持具（E１１）に
滑動補助部を備えた軸（E２８）と、把持部（E１２）と収納部（E２７）と装着部（E３３）を設ける
さらに収納部（E２７）に滑動スペース（E３０）を備え
さらに滑動補助部を備えた軸（E２８）には滑動補助部（E２６）と滑動補助部（E３２）を備え
滑動補助部（E２６）と滑動補助部（E３２）により滑動部としての機能を備える
さらに把持部（E１２）には滑動レール（E３５）を備え、
さらに把持部（E１２）の滑動レール（E３５）を回動自在かつ滑動自在に連結する凹凸部（E２３）とストッパー（E２５）をさらに備え、
さらに滑動補助部を備えた軸（E２８）の一部に凹凸部（E２３）と係合する
凹凸部（E２４）をさらに備える。
滑動補助部を備えた軸（E２８）の凹凸部（E２４）と把持部（E１２）に備えた凹凸部（E２３）を接続し、
さらに滑動補助部を備えた軸（E２８）の滑動補助部（E３２）を収納部（E２７）に内設して
滑動補助部を備えた軸（E２８）を回動自在かつ全方向へ滑動自在に設け
さらに収納部（E２７）と装着部（E３３）を設ける。
本発明の滑動自在な把持具（E１１）を使用する場合は
携帯情報端末または携帯情報端末バンパーまたは携帯情報端末ケースなどに
滑動自在な把持具（E１１）の装着部（E３３）により装着し滑動自在な把持具（E１１）
に設けた把持部（E１２）に手の指を通して把持し手のひらの角度を
変えることで把持部（E１２）に連結した
滑動補助部を備えた軸（E２８）の滑動補助部（E２６）が収納部（E２７）の滑動自在なスペース（E３０）を
回動自在かつ全方向にも自在に滑動して
携帯情報端末の画面をタッチする際に指が届く範囲が広くして滑動自在に把持ができる
また把持部（E１２）に備えたストッパー（E２５）により、好きな位置で把持部を押すことで自在に把持部（E１２）を固定して把持することもできる。
また把持部（E１２）に備えた滑動レール（E３５）により滑動範囲がさらに広くなる
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
また構造上仰向けなって把持具に指を通して操作する場合も手の角度を変えるだけで回動自在かつ滑動自在に把持することができる
【００９２】
[実施形態１４］
本発明の滑動自在な把持部を備えた携帯情報端末バンパー（EE１６）の構成は
滑動自在な把持部を備えた携帯情報端末バンパー（EE１６）に
滑動補助部を備えた軸（EE２８）と、把持部（EE１２）と収納部（EE２７）と装着部（EE３３）を設ける
さらに収納部（EE２７）に滑動スペース（EE３０）を備え
さらに滑動補助部を備えた軸（EE２８）には滑動補助部（E２６）と滑動補助部（E３２）を備え
滑動補助部（E２６）と滑動補助部（E３２）により滑動部としての機能を備える
さらに把持部（EE１２）には滑動レール（EE３５）を備え、
さらに把持部（EE１２）の滑動レール（EE３５）を回動自在かつ滑動自在に連結する凹凸部（EE２３）とストッパー（EE２５）をさらに備え、
さらに滑動補助部を備えた軸（EE２８）の一部に凹凸部（EE２３）と係合する
凹凸部（EE２４）をさらに備える。
滑動補助部を備えた軸（EE２８）の凹凸部（EE２４）と把持部（EE１２）に備えた凹凸部（EE２３）を接続し、
さらに滑動補助部を備えた軸（EE２８）の滑動補助部（EE３２）を収納部（EE２７）に内設して
滑動補助部を備えた軸（EE２８）を回動自在かつ全方向へ滑動自在に設ける
本発明の滑動自在な把持部を備えた携帯情報端末バンパー（EE１６）を使用する場合は
携帯情報端末を滑動自在な把持部を備えた携帯情報端末バンパー（EE１６）に装着し携帯情報端末バンパー（EE１６）の
滑動自在な把持具（EE１１）に設けた把持部（EE１２）に手の指を通して把持し手のひらの角度を
変えることで把持部（EE１２）に連結した
滑動補助部を備えた軸（EE２８）の滑動補助部（EE２６）が収納部（EE２７）の滑動自在なスペース（EE３０）を
回動自在かつ全方向にも自在に滑動して
携帯情報端末の画面をタッチする際に指が届く範囲が広くして滑動自在に把持ができる
また把持部（EE１２）に備えたストッパー（EE２５）により、好きな位置で把持部を押すことで自在に把持部（EE１２）を固定して把持することもできる。
また構造上仰向けなって把持具に指を通して操作する場合も手の角度を変えるだけで回動自在かつ滑動自在に把持することができる
また把持部（EE１２）に備えた滑動レール（EE３５）により滑動範囲がさらに広くなる
【００９３】
[実施形態１５］
本発明の滑動自在な把持部を備えた携帯情報端末ケース（EEE１８）の構成は
滑動自在な把持部を備えた携帯情報端末ケース（EEE１８）に
滑動補助部を備えた軸（EEE２８）と、把持部（EEE１２）と収納部（EEE２７）と装着部（EEE３３）を設ける
さらに収納部（EEE２７）に滑動スペース（EEE３０）を備え
さらに滑動補助部を備えた軸（EEE２８）には滑動補助部（E２６）と滑動補助部（E３２）を備え
滑動補助部（E２６）と滑動補助部（E３２）により滑動部としての機能を備える
さらに把持部（EEE１２）には滑動レール（EEE３５）を備え、
さらに把持部（EEE１２）の滑動レール（EEE３５）を回動自在かつ滑動自在に連結する凹凸部（EEE２３）とストッパー（EEE２５）をさらに備え、
さらに滑動補助部を備えた軸（EEE２８）の一部に凹凸部（EEE２３）と係合する
凹凸部（EEE２４）をさらに備える。
滑動補助部を備えた軸（EEE２８）の凹凸部（EEE２４）と把持部（EEE１２）に備えた凹凸部（EEE２３）を接続し、
さらに滑動補助部を備えた軸（EEE２８）の滑動補助部（EEE３２）を収納部（EEE２７）に内設して
滑動補助部を備えた軸（EEE２８）を回動自在かつ全方向へ滑動自在に設ける
本発明の滑動自在な把持部を備えた携帯情報端末ケース（EEE１８）を使用する場合は
携帯情報端末を滑動自在な把持部を備えた携帯情報端末ケース（EEE１８）に装着し携帯情報端末ケース（EEE１８）の
滑動自在な把持具（EEE１１）に設けた把持部（EEE１２）に手の指を通して把持し手のひらの角度を
変えることで把持部（EEE１２）に連結した
滑動補助部を備えた軸（EEE２８）の滑動補助部（EEE２６）が収納部（EEE２７）の滑動自在なスペース（EEE３０）を
回動自在かつ全方向にも自在に滑動して
携帯情報端末の画面をタッチする際に指が届く範囲が広くして滑動自在に把持ができる
また把持部（EEE１２）に備えたストッパー（EEE２５）により、好きな位置で把持部を押すことで自在に把持部（EEE１２）を固定して把持することもできる。
また構造上仰向けなって把持具に指を通して操作する場合も手の角度を変えるだけで回動自在かつ滑動自在に把持することができる
また把持部（EEE１２）に備えた滑動レール（EEE３５）により滑動範囲がさらに広くなる
【００９４】
[実施形態１６］
本発明の滑動自在な把持具（F１１）の構成は
滑動自在な把持具（F１１）に
滑動補助部を備えた軸（F２８）と、把持部（F１２）と収納部（F２７）と装着部（F３３）を設ける
さらに収納部（F２７）に滑動スペース（F３０）を備え
さらに滑動補助部を備えた軸（F２８）には滑動補助部（F２６）と滑動補助部（F３２）を備え
滑動補助部（F２６）と滑動補助部（F３２）により滑動部としての機能を備える
さらに把持部（F１２）に滑動レール（F３５）を設け、把持部（F１２）を滑動レール（F３５）に回動自在かつ滑動自在に連結して備える、
さらに滑動レール（F３５）に
凹凸部（F２３）とストッパー（F２５）をさらに備え、
さらに滑動補助部を備えた軸（F２８）の一部に凹凸部（F２３）と係合する
凹凸部（F２４）をさらに備える。
滑動補助部を備えた軸（F２８）の凹凸部（F２４）と把持部（F１２）に備えた凹凸部（F２３）を接続し、
さらに滑動補助部を備えた軸（F２８）の滑動補助部（F３２）を収納部（F２７）に内設して
滑動補助部を備えた軸（F２８）を回動自在かつ全方向へ滑動自在に設け
さらに収納部（F２７）と装着部（F３３）を設ける。
本発明の滑動自在な把持具（F１１）を使用する場合は
携帯情報端末または携帯情報端末バンパーまたは携帯情報端末ケースなどに
滑動自在な把持具（F１１）の装着部（F３３）により装着し滑動自在な把持具（F１１）
に設けた把持部（F１２）に手の指を通して把持し手のひらの角度を
変えることで把持部（F１２）に連結した
滑動補助部を備えた軸（F２８）の滑動補助部（F２６）が収納部（F２７）の滑動自在なスペース（F３０）を
回動自在かつ全方向にも自在に滑動して
携帯情報端末の画面をタッチする際に指が届く範囲が広くして滑動自在に把持ができる
また把持部（F１２）に備えたストッパー（F２５）により、好きな位置で把持部を押すことで自在に把持部（F１２）を固定して把持することもできる。
また把持部（F１２）に備えた滑動レール（F３５）により滑動範囲がさらに広くなる
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
また構造上仰向けなって把持具に指を通して操作する場合も手の角度を変えるだけで回動自在かつ滑動自在に把持することができる
【００９５】
[実施形態１７］
本発明の滑動自在な把持部を備えた携帯情報端末バンパー（FF１６）の構成は
滑動自在な把持部を備えた携帯情報端末バンパー（FF１６）に
滑動補助部を備えた軸（FF２８）と、把持部（FF１２）と収納部（FF２７）と装着部（FF３３）を設ける
さらに収納部（FF２７）に滑動スペース（FF３０）を備え
さらに滑動補助部を備えた軸（FF２８）には滑動補助部（F２６）と滑動補助部（F３２）を備え
滑動補助部（F２６）と滑動補助部（F３２）により滑動部としての機能を備える
さらに把持部（FF１２）に滑動レール（FF３５）を設け、把持部（FF１２）を滑動レール（FF３５）に回動自在かつ滑動自在に連結して備える、
さらに滑動レール（FF３５）に
凹凸部（FF２３）とストッパー（FF２５）をさらに備え、
さらに滑動補助部を備えた軸（FF２８）の一部に凹凸部（FF２３）と係合する
凹凸部（FF２４）をさらに備える。
滑動補助部を備えた軸（FF２８）の凹凸部（FF２４）と把持部（FF１２）に備えた凹凸部（FF２３）を接続し、
さらに滑動補助部を備えた軸（FF２８）の滑動補助部（FF３２）を収納部（FF２７）に内設して
滑動補助部を備えた軸（FF２８）を回動自在かつ全方向へ滑動自在に設ける
本発明の滑動自在な把持部を備えた携帯情報端末バンパー（FF１６）を使用する場合は
携帯情報端末を滑動自在な把持部を備えた携帯情報端末バンパー（FF１６）に装着し携帯情報端末バンパー（FF１６）の
滑動自在な把持具（FF１１）に設けた把持部（FF１２）に手の指を通して把持し手のひらの角度を
変えることで把持部（FF１２）に連結した
滑動補助部を備えた軸（FF２８）の滑動補助部（FF２６）が収納部（FF２７）の滑動自在なスペース（FF３０）を
回動自在かつ全方向にも自在に滑動して
携帯情報端末の画面をタッチする際に指が届く範囲が広くして滑動自在に把持ができる
また把持部（FF１２）に備えたストッパー（FF２５）により、好きな位置で把持部を押すことで自在に把持部（FF１２）を固定して把持することもできる。
また構造上仰向けなって把持具に指を通して操作する場合も手の角度を変えるだけで回動自在かつ滑動自在に把持することができる
また把持部（FF１２）に備えた滑動レール（FF３５）により滑動範囲がさらに広くなる
【００９６】
[実施形態１８］
本発明の滑動自在な把持部を備えた携帯情報端末ケース（FFF１８）の構成は
滑動自在な把持部を備えた携帯情報端末ケース（FFF１８）に
滑動補助部を備えた軸（FFF２８）と、把持部（FFF１２）と収納部（FFF２７）と装着部（FFF３３）を設ける
さらに収納部（FFF２７）に滑動スペース（FFF３０）を備え
さらに滑動補助部を備えた軸（FFF２８）には滑動補助部（F２６）と滑動補助部（F３２）を備え
滑動補助部（F２６）と滑動補助部（F３２）により滑動部としての機能を備える
さらに把持部（FFF１２）に滑動レール（FFF３５）を設け、把持部（FFF１２）を滑動レール（FFF３５）に回動自在かつ滑動自在に連結して備える、
さらに滑動レール（FFF３５）に
凹凸部（FFF２３）とストッパー（FFF２５）をさらに備え、
さらに滑動補助部を備えた軸（FFF２８）の一部に凹凸部（FFF２３）と係合する
凹凸部（FFF２４）をさらに備える。
滑動補助部を備えた軸（FFF２８）の凹凸部（FFF２４）と把持部（FFF１２）に備えた凹凸部（FFF２３）を接続し、
さらに滑動補助部を備えた軸（FFF２８）の滑動補助部（FFF３２）を収納部（FFF２７）に内設して
滑動補助部を備えた軸（FFF２８）を回動自在かつ全方向へ滑動自在に設ける
本発明の滑動自在な把持部を備えた携帯情報端末ケース（FFF１８）を使用する場合は
携帯情報端末を滑動自在な把持部を備えた携帯情報端末ケース（FFF１８）に装着し携帯情報端末ケース（FFF１８）の
滑動自在な把持具（FFF１１）に設けた把持部（FFF１２）に手の指を通して把持し手のひらの角度を
変えることで把持部（FFF１２）に連結した
滑動補助部を備えた軸（FFF２８）の滑動補助部（FFF２６）が収納部（FFF２７）の滑動自在なスペース（FFF３０）を
回動自在かつ全方向にも自在に滑動して
携帯情報端末の画面をタッチする際に指が届く範囲が広くして滑動自在に把持ができる
また把持部（FFF１２）に備えたストッパー（FFF２５）により、好きな位置で把持部を押すことで自在に把持部（FFF１２）を固定して把持することもできる。
また構造上仰向けなって把持具に指を通して操作する場合も手の角度を変えるだけで回動自在かつ滑動自在に把持することができる
また把持部（FFF１２）に備えた滑動レール（FFF３５）により滑動範囲がさらに広くなる
【図面の簡単な説明】
【００９７】
【図１】実施形態１の滑動自在な把持具のコンパクトな状態の斜視図
【図２】実施形態１の滑動自在な把持具の断面側面図
【図３】実施形態１の滑動自在な把持具の断面斜視図
【図４】実施形態１の滑動自在な把持具の分解斜視図
【図５】実施形態１の滑動自在な把持具を装着し把持部が滑動した状態の携帯情報端末の斜視図
【図６】実施形態２の滑動自在な把持部を備えた携帯情報端末バンパーのコンパクトな状態の把持部の斜視図
【図７】実施形態２の滑動自在な把持部を備えた携帯情報端末バンパーの把持部の断面側面図
【図８】実施形態２の滑動自在な把持部を備えた携帯情報端末バンパーの把持部の断面斜視図
【図９】実施形態２の滑動自在な把持部を備えた携帯情報端末バンパーの把持部の分解斜視図
【図１０】実施形態２の滑動自在な把持部を備えた携帯情報端末バンパーの把持部が滑動した状態の斜視図
【図１１】実施形態３の滑動自在な把持部を備えた携帯情報端末ケースのコンパクトな状態の把持部の斜視図
【図１２】実施形態３の滑動自在な把持部を備えた携帯情報端末ケースの把持部の断面側面図
【図１３】実施形態３の滑動自在な把持部を備えた携帯情報端末ケースの把持部の断面斜視図
【図１４】実施形態３の滑動自在な把持部を備えた携帯情報端末ケースの把持部の分解斜視図
【図１５】実施形態３の滑動自在な把持部を備えた携帯情報端末ケースの把持部が滑動した状態の斜視図
【図１６】実施形態４の滑動自在な把持具のコンパクトな状態の斜視図
【図１７】実施形態４の滑動自在な把持具の断面側面図
【図１８】実施形態４の滑動自在な把持具を装着した携帯情報端末の把持部が滑動した状態の斜視図
【図１９】実施形態５の滑動自在な把持部を備えた携帯情報端末バンパーの把持部のコンパクトな状態の斜視図
【図２０】実施形態５の滑動自在な把持部を備えた携帯情報端末バンパーの把持部の断面側面図
【図２１】実施形態５の滑動自在な把持部を備えた携帯情報端末バンパーの把持部が滑動した状態の斜視図
【図２２】実施形態６の滑動自在な把持部を備えた携帯情報端末ケースの把持部のコンパクトな状態の斜視図
【図２３】実施形態６の滑動自在な把持部を備えた携帯情報端末ケースの把持部の断面側面図
【図２４】実施形態６の滑動自在な把持部を備えた携帯情報端末ケースの把持部が滑動した状態の斜視図
【図２５】実施形態７の滑動自在な把持具のコンパクトな状態の斜視図
【図２６】実施形態７の滑動自在な把持具の断面側面図
【図２７】実施形態７の滑動自在な把持具の分解斜視図
【図２８】実施形態７の滑動自在な把持具の断面斜視図
【図２９】実施形態７の滑動自在な把持具を装着した携帯情報端末の把持部が滑動した状態の斜視図
【図３０】実施形態８の滑動自在な把持部を備えた携帯情報端末バンパーの把持部のコンパクトな状態の斜視図
【図３１】実施形態８の滑動自在な把持部を備えた携帯情報端末バンパーの把持部の断面側面図
【図３２】実施形態８の滑動自在な把持部を備えた携帯情報端末バンパーの把持部の分解斜視図
【図３３】実施形態８の滑動自在な把持部を備えた携帯情報端末バンパーの把持部の断面斜視図
【図３４】実施形態８の滑動自在な把持部を備えた携帯情報端末バンパーの把持部が滑動した状態の斜視図
【図３５】実施形態９の滑動自在な把持部を備えた携帯情報端末ケースの把持部のコンパクトな状態の斜視図
【図３６】実施形態９の滑動自在な把持部を備えた携帯情報端末ケースの把持部の断面側面図
【図３７】実施形態９の滑動自在な把持部を備えた携帯情報端末ケースの把持部の分解斜視図
【図３８】実施形態９の滑動自在な把持部を備えた携帯情報端末ケースの把持部の断面斜視図
【図３９】実施形態９の滑動自在な把持部を備えた携帯情報端末ケースの把持部が滑動した状態の斜視図
【図４０】実施形態１０の滑動自在な把持具を装着した携帯情報端末の斜視図
【図４１】実施形態１０の滑動自在な把持具の断面側面図
【図４２】実施形態１１の滑動自在な把持部を備えた携帯情報端末バンパーの斜視図
【図４３】実施形態１１の滑動自在な把持部を備えた携帯情報端末バンパーの把持部の断面側面図
【図４４】実施形態１２の滑動自在な把持部を備えた携帯情報端末ケースの斜視図
【図４５】実施形態１２の滑動自在な把持部を備えた携帯情報端末ケースの把持部の断面側面図
【図４６】実施形態１３の滑動自在な把持具を装着した携帯情報端末の斜視図
【図４７】実施形態１３の滑動自在な把持具の断面側面図
【図４８】実施形態１４の滑動自在な把持部を備えた携帯情報端末バンパーの斜視図
【図４９】実施形態１４の滑動自在な把持部を備えた携帯情報端末バンパーの把持部の断面側面図
【図５０】実施形態１５の滑動自在な把持部を備えた携帯情報端末ケースの斜視図
【図５１】実施形態１５の滑動自在な把持部を備えた携帯情報端末ケースの把持部の断面側面図
【図５２】実施形態１６の滑動自在な把持具を装着した携帯情報端末の斜視図
【図５３】実施形態１６の滑動自在な把持具の断面側面図
【図５４】実施形態１７の滑動自在な把持部を備えた携帯情報端末バンパーの斜視図
【図５５】実施形態１７の滑動自在な把持部を備えた携帯情報端末バンパーの把持部の断面側面図
【図５６】実施形態１８の滑動自在な把持部を備えた携帯情報端末ケースの斜視図
【図５７】実施形態１８の滑動自在な把持部を備えた携帯情報端末ケースの把持部の断面側面図
【符号の説明】
【００９８】
A１  実施形態１のA３からA３の断面側面図
A２  実施形態１のA４からA４の断面側面図
A３  断面位置
A４  断面位置
A１１滑動自在な把持具
A１２  把持部
A１３  指入れ部
A１４  ピン
A１５  連結穴
A２０  滑動自在な把持部を装着した携帯情報端末
A２１  携帯情報端末
A２２  連結穴
A２３  ネジ部
A２４  ネジ部
A２５  ストッパー
A２６  滑動部
A２７  収納部
A２８  滑動補助部を備えた軸
A２９  外れ防止ストッパー
A３０  滑動スペース
A３１  滑動スペース
A３２  装着部
A３３  装着面
A３４  外れ防止ストッパー
A３５  滑動レール
A３６  滑動補助部
AA１  実施形態２のAA３からAA３の断面側面図
AA２  実施形態２のAA４からAA４の断面側面図
AA３  断面位置
AA４  断面位置
AA１１滑動自在な把持具
AA１２  把持部
AA１３  指入れ部
AA１４  ピン
AA１５  連結穴
AA１６  滑動自在な把持部を備えた携帯情報端末バンパー
AA１７  携帯情報端末バンパー
AA２１  携帯情報端末
AA２２  連結穴
AA２３  ネジ部
AA２４  ネジ部
AA２５  ストッパー
AA２６  滑動部
AA２７  収納部
AA２８  滑動補助部を備えた軸
AA２９  外れ防止ストッパー
AA３０  滑動スペース
AA３１  滑動スペース
AA３２  装着部
AA３３  装着面
AA３４  外れ防止ストッパー
AA３５  滑動レール
AA３６  滑動補助部
AAA１  実施形態３のAAA３からAAA３の断面側面図
AAA２  実施形態３のAAA４からAAA４の断面側面図
AAA３  断面位置
AAA４  断面位置
AAA１１滑動自在な把持具
AAA１２  把持部
AAA１３  指入れ部
AAA１４  ピン
AAA１５  連結穴
AAA１８  滑動自在な把持部を備えた携帯情報端末ケース
AAA１９  携帯情報端末ケース
AAA２１  携帯情報端末
AAA２２  連結穴
AAA２３  ネジ部
AAA２４  ネジ部
AAA２５  ストッパー
AAA２６  滑動部
AAA２７  収納部
AAA２８  滑動補助部を備えた軸
AAA２９  外れ防止ストッパー
AAA３０  滑動スペース
AAA３１  滑動スペース
AAA３２  装着部
AAA３３  装着面
AAA３４  外れ防止ストッパー
AAA３５  滑動レール
AAA３６  滑動補助部
B１  実施形態４のB３からB３の断面側面図
B２  実施形態４のB４からB４の断面側面図
B３  断面位置
B４  断面位置
B１１滑動自在な把持具
B１２  把持部
B１３  指入れ部
B１４  ピン
B２０  滑動自在な把持部を装着した携帯情報端末
B２１  携帯情報端末
B２２  連結穴
B２３  ネジ部
B２４  ネジ部
B２５  ストッパー
B２６  滑動部
B２７  収納部
B２８  滑動補助部を備えた軸
B３０  滑動スペース
B３１  滑動スペース
B３２  装着部
B３３  装着面
B３５  滑動レール
B３６  滑動補助部
BB１  実施形態５のBB３からBB３の断面側面図
BB２  実施形態５のBB４からBB４の断面側面図
BB３  断面位置
BB４  断面位置
BB１１滑動自在な把持具
BB１２  把持部
BB１３  指入れ部
BB１４  ピン
BB１６  滑動自在な把持部を備えた携帯情報端末バンパー
BB１７  携帯情報端末バンパー
BB２０  滑動自在な把持部を装着した携帯情報端末
BB２１  携帯情報端末
BB２２  連結穴
BB２３  ネジ部
BB２４  ネジ部
BB２５  ストッパー
BB２６  滑動部
BB２７  収納部
BB２８  滑動補助部を備えた軸
BB３０  滑動スペース
BB３１  滑動スペース
BB３２  装着部
BB３３  装着面
BB３５  滑動レール
BB３６  滑動補助部
BBB１  実施形態６のBBB３からBBB３の断面側面図
BBB２  実施形態６のBBB４からBBB４の断面側面図
BBB３  断面位置
BBB４  断面位置
BBB１１滑動自在な把持具
BBB１２  把持部
BBB１３  指入れ部
BBB１４  ピン
BBB１８  滑動自在な把持部を備えた携帯情報端末ケース
BBB１９  携帯情報端末ケース
BBB２０  滑動自在な把持部を装着した携帯情報端末
BBB２１  携帯情報端末
BBB２２  連結穴
BBB２３  ネジ部
BBB２４  ネジ部
BBB２５  ストッパー
BBB２６  滑動部
BBB２７  収納部
BBB２８  滑動補助部を備えた軸
BBB３０  滑動スペース
BBB３１  滑動スペース
BBB３２  装着部
BBB３３  装着面
BBB３５  滑動レール
BBB３６  滑動補助部
C１断面位置
C１１滑動自在な把持具
C１２  把持部
C１３  指入れ部
C１４  ピン
C１５  連結穴
C２０  滑動自在な把持部を装着した携帯情報端末
C２１  携帯情報端末
C２２  連結穴
C２３  ネジ部
C２４  ネジ部
C２５  ストッパー
C２６  滑動部
C２７  第一収納部
C２８  滑動補助部を備えた軸
C３０  第一滑動スペース
C３１  滑動スペース
C３２  装着部
C３３  装着面
C３５  滑動レール
C３６  第二収納部
C３７  ネジ部
C３８  ネジ部
C３９  ストッパー
C４０  第二滑動スペース
C４１  第一滑動補助部
C４２  第二滑動補助部
CC１  断面位置
CC１１滑動自在な把持具
CC１２  把持部
CC１３  指入れ部
CC１４  ピン
CC１５  連結穴
CC１６  滑動自在な把持部を備えた携帯情報端末バンパー
CC１７  携帯情報端末バンパー
CC２１  携帯情報端末
CC２２  連結穴
CC２３  ネジ部
CC２４  ネジ部
CC２５  ストッパー
CC２６  滑動部
CC２７  第一収納部
CC２８  滑動補助部を備えた軸
CC３０  第一滑動スペース
CC３１  滑動スペース
CC３２  装着部
CC３３  装着面
CC３５  滑動レール
C C３６  第二収納部
C C３７  ネジ部
C C３８  ネジ部
C C３９  ストッパー
C C４０  第二滑滑動スペース
CC４１  第一滑動補助部
CC４２  第二滑動補助部
CCC１断面位置
CCC１１滑動自在な把持具
CCC１２  把持部
CCC１３  指入れ部
CCC１４  ピン
CCC１５  連結穴
CCC１８  滑動自在な把持部を備えた携帯情報端末ケース
CCC１９  携帯情報端末ケース
CCC２１  携帯情報端末
CCC２２  連結穴
CCC２３  ネジ部
CCC２４  ネジ部
CCC２５  ストッパー
CCC２６  滑動部
CCC２７  第一収納部
CCC２８  滑動補助部を備えた軸
CCC３０  第一滑動スペース
CCC３１  滑動スペース
CCC３２  装着部
CCC３３  装着面
CCC３５  滑動レール
C C C３６  第二収納部
C C C３７  ネジ部
C C C３８  ネジ部
C C C３９  ストッパー
C C C４０  第二滑滑動スペース
CCC４１  第一滑動補助部
CCC４２  第二滑動補助部
D３  断面位置
D１１  把持具
D１２  把持部
D２０  滑動自在な把持具を装着した携帯情報端末
D２１  携帯情報端末
D２３  凹凸部
D２４  凹凸部
D２５  ストッパー
D２６  滑動補助部
D２７  収納部
D２８  滑動補助部を備えた軸
３０  滑動スペース
３１  滑動スペース
３２  滑動補助部
３３  装着部
DD３    断面位置
DD１１  把持具
DD１２  把持部
DD１６  滑動自在に把持部ができるバンパー
DD１７  バンパー
DD２１  携帯情報端末
DD２３  凹凸部
DD２４  凹凸部
DD２５  ストッパー
DD２６  滑動補助部
DD２７  収納部
DD２８  滑動補助部を備えた軸
DD３０  滑動スペース
DD３１  滑動スペース
DD３２  滑動補助部
DD３３  装着部
DDD３    断面位置
DDD１１  把持具
DDD１２  把持部
DDD１８  滑動自在に把持部ができるケース
DDD１９  ケース
DDD２１  携帯情報端末
DDD２３  凹凸部
DDD２４  凹凸部
DDD２５  ストッパー
DDD２６  滑動補助部
DDD２７  収納部
DDD２８  滑動補助部を備えた軸
DDD３０  滑動スペース
DDD３１  滑動スペース
DDD３２  滑動補助部
DDD３３  装着部
E３    断面位置
E１１  把持具
E１２  把持部
E２０  滑動自在な把持具を装着した携帯情報端末
E２１  携帯情報端末
E２３  凹凸部
E２４  凹凸部
E２５  ストッパー
E２６  滑動補助部
E２７  収納部
E２８  滑動補助部を備えた軸
E３０  滑動スペース
E３１  滑動スペース
E３２  滑動補助部
E３３  装着部
E３５  滑動レール
E３６  滑動レールを自在に滑動できる把持具
EE３    断面位置
EE１１  把持具
EE１２  把持部
EE１６  滑動自在に把持部ができるバンパー
EE１７  バンパー
EE２１  携帯情報端末
EE２３  凹凸部
EE２４  凹凸部
EE２５  ストッパー
EE２６  滑動補助部
EE２７  収納部
EE２８  滑動補助部を備えた軸
EE３０  滑動スペース
EE３１  滑動スペース
EE３２  滑動補助部
EE３３  装着部
EE３５  滑動レール
EE３６  滑動レールを自在に滑動できる把持具
EEE  ３  断面位置
EEE１１  把持具
EEE１２  把持部
EEE１８  滑動自在に把持部ができるケース
EEE１９  ケース
EEE２１  携帯情報端末
EEE２３  凹凸部
EEE２４  凹凸部
EEE２５  ストッパー
EEE２６  滑動補助部
EEE２７  収納部
EEE２８  滑動補助部を備えた軸
EEE３０  滑動スペース
EEE３１  滑動スペース
EEE３２  滑動補助部
EEE３３  装着部
EEE３５  滑動レール
EEE３６  滑動レールを自在に滑動できる把持具
F３    断面位置
F１１  把持具
F１２  把持部
F２０  滑動自在な把持具を装着した携帯情報端末
F２１  携帯情報端末
F２３  凹凸部
F２４  凹凸部
F２５  ストッパー
F２６  滑動補助部
F２７  収納部
F２８  滑動補助部を備えた軸
F３０  滑動スペース
F３１  滑動スペース
F３２  滑動補助部
F３３  装着部
F３５  滑動レール
F３６  滑動レールを備えた把持具
FF３    断面位置
FF１１  把持具
FF１２  把持部
FF１６  滑動自在に把持部ができるバンパー
FF１７  バンパー
FF２１  携帯情報端末
FF２３  凹凸部
FF２４  凹凸部
FF２５  ストッパー
FF２６  滑動補助部
FF２７  収納部
FF２８  滑動補助部を備えた軸
FF３０  滑動スペース
FF３１  滑動スペース
FF３２  滑動補助部
FF３３  装着部
FF３５  滑動レール
FF３６  滑動レールを備えた把持具
FFF３    断面位置
FFF１１  把持具
FFF１２  把持部
FFF１８  滑動自在に把持部ができるケース
FFF１９  ケース
FFF２１  携帯情報端末
FFF２３  凹凸部
FFF２４  凹凸部
FFF２５  ストッパー
FFF２６  滑動補助部
FFF２７  収納部
FFF２８  滑動補助部を備えた軸
FFF３０  滑動スペース
FFF３１  滑動スペース
FFF３２  滑動補助部
FFF３３  装着部
FFF３５  滑動レール
FFF３６  滑動レールを備えた把持具
【図１】
2020199145.tif 000003
【図２】
2020199145.tif 000004
【図３】
2020199145.tif 000005
【図４】
2020199145.tif 000006
【図５】
2020199145.tif 000007
【図６】
2020199145.tif 000008
【図７】
2020199145.tif 000009
【図８】
2020199145.tif 000010
【図９】
2020199145.tif 000011
【図１０】
2020199145.tif 000012
【図１１】
2020199145.tif 000013
【図１２】
2020199145.tif 000014
【図１３】
2020199145.tif 000015
【図１４】
2020199145.tif 000016
【図１５】
2020199145.tif 000017
【図１６】
2020199145.tif 000018
【図１７】
2020199145.tif 000019
【図１８】
2020199145.tif 000020
【図１９】
2020199145.tif 000021
【図２０】
2020199145.tif 000022
【図２１】
2020199145.tif 000023
【図２２】
2020199145.tif 000024
【図２３】
2020199145.tif 000025
【図２４】
2020199145.tif 000026
【図２５】
2020199145.tif 000027
【図２６】
2020199145.tif 000028
【図２７】
2020199145.tif 000029
【図２８】
2020199145.tif 000030
【図２９】
2020199145.tif 000031
【図３０】
2020199145.tif 000032
【図３１】
2020199145.tif 000033
【図３２】
2020199145.tif 000034
【図３３】
2020199145.tif 000035
【図３４】
2020199145.tif 000036
【図３５】
2020199145.tif 000037
【図３６】
2020199145.tif 000038
【図３７】
2020199145.tif 000039
【図３８】
2020199145.tif 000040
【図３９】
2020199145.tif 000041
【図４０】
2020199145.tif 000042
【図４１】
2020199145.tif 000043
【図４２】
2020199145.tif 000044
【図４３】
2020199145.tif 000045
【図４４】
2020199145.tif 000046
【図４５】
2020199145.tif 000047
【図４６】
2020199145.tif 000048
【図４７】
2020199145.tif 000049
【図４８】
2020199145.tif 000050
【図４９】
2020199145.tif 000051
【図５０】
2020199145.tif 000052
【図５１】
2020199145.tif 000053
【図５２】
2020199145.tif 000054
【図５３】
2020199145.tif 000055
【図５４】
2020199145.tif 000056
【図５５】
2020199145.tif 000057
【図５６】
2020199145.tif 000058
【図５７】
2020199145.tif 000059